(57)【特許請求の範囲】
【請求項１】
ユニバーサルスイングトレーニング装置であって、
ギャップを間に形成するように間隔を離して配置された２つの別々の個別セクションを含むスポーツ関連の器具であって、前記セクションは、それぞれが長手軸を有する、近位セクションおよび遠位セクションを含む、スポーツ関連の器具と、
前記ギャップの中に挿入され、前記近位セクションの上側端部および前記遠位セクションの下側端部に接続されている、スライド機構と
を含み、
前記スライド機構は、レールガイド、複数のフロントボール軸受、複数のリアボール軸受、およびスライディングレールアッセンブリを含み、それらは、
前記スライディングレールアッセンブリが前記レールガイドの上で同軸の位置に位置しているときに、前記上側端部および前記下側端部が同軸になることを保証するように、ならびに、
前記器具をスイングする間に、前記上側端部に対する前記下側端部の横方向のシフトを可能にするように、
協働的に構成され、
前記スライディングレールアッセンブリは、スライディングレール部材を含み、
前記スライディングレール部材の上側部分は、前記下側端部が前記上側部分に接続されることを可能にするように適合されており、どのように前記器具がスイングされるかということにかかわらず、前記下側端部が前記スライディングレールアッセンブリと同軸になることを保証するようになっており、
前記レールガイドの下側部分は、前記上側端部が前記下側部分に接続されることを可能にするように適合されており、どのように前記器具がスイングされるかということにかかわらず、前記上側端部が前記レールガイドと同軸になることを保証するようになっている、ユニバーサルスイングトレーニング装置。
【請求項２】
前記スライディングレール部材の下側部分は、スライディングレールブロックを含み、
前記レールガイドの上側部分は、ガイドブロックを含み、前記ガイドブロックの上側部分は、リニアガイドチャネルを含み、前記リニアガイドチャネルは、前記ガイドブロックの左側部からその右側部へ通っており、
前記チャネルは、前記スライディングレールブロックならびに前記フロントボール軸受および前記リアボール軸受の組み合わせが前記チャネルの中へスライド可能に挿入されるときに、前記組み合わせをスライディング係合状態で受け入れるように適合されており、
前記スライディング係合は、前記スライディングレールアッセンブリが、前記スライディングレールアッセンブリの長手方向軸線および前記レールガイドの長手方向軸線の両方に対して直交する方向に移動することを可能にする請求項１に記載の装置。
【請求項３】
前記スライディングレールブロックは、所定の幅Ｗ１および１対の対向する細長いレールスロットを含み、前記１対の対向する細長いレールスロットは、フロントレールスロットおよびリアレールスロットを含み、
前記レールスロットは、それらの長手方向軸線が前記スライディングレール部材の前記長手方向軸線に直交する平面に沿って存在するように位置決めされており、
前記チャネルの垂直方向軸線は、前記レールガイドの前記長手方向軸線に整合させられており、
前記チャネルは、平行な垂直方向の側壁部、１対の対向する細長いガイドスロット、および、所定の幅Ｗ２を含み、前記所定の幅Ｗ２は、幅Ｗ１よりもわずかに大きくなっており、したがって、前記スライディングレールブロックが前記チャネルの中に移動可能に位置決めされることを可能にし、
前記ガイドスロットは、前記チャネルの前記側壁部のうちの一方の上に存在するフロントガイドスロットと、前記チャネルの前記側壁部のうちの他方の上に存在するリアガイドスロットとを含み、
前記ガイドスロットは、それらのそれぞれの側壁部の上に位置決めされており、前記ガイドスロットの前記長手方向軸線が、前記レールガイドの前記長手方向軸線に直交する平面に沿って存在するようになっており、
前記フロントレールスロットおよび前記フロントガイドスロットは、共通の形状を含み、前記共通の形状は、半円形よりもわずかに小さくなっており、前記スライディングレールブロックが前記チャネルの中に位置決めされているときに、前記フロントレールおよびガイドスロットが、前記フロントボール軸受を低摩擦の転がり係合の状態で受け入れることを可能にするようにサイズ決めされており、
前記リアレールスロットおよび前記リアガイドスロットは、共通の形状を含み、前記共通の形状は、半円形よりもわずかに小さくなっており、前記スライディングレールブロックが前記チャネルの中に位置決めされているときに、前記リアレールおよびガイドスロットが前記リアボール軸受を低摩擦の転がり係合の状態で受け入れることを可能にするようにサイズ決めされている請求項２に記載の装置。
【請求項４】
幅Ｗ１と幅Ｗ２との間の差は、１．０ミリメートル以上、かつ、２．０ミリメートル以下になっている請求項３に記載の装置。
【請求項５】
前記スライディングレールアッセンブリは、ポストを含むスライド制限部材を含み、
前記レールガイドは、レール移動距離制限フィーチャーを含み、
前記ポストの底部は、前記スライド機構が組み立てられた後に、前記距離制限フィーチャーの中へ所定の突出距離だけ突出しており、
前記ポストおよび前記距離制限フィーチャーは、前記横方向のシフトを所定の最大レール移動距離Ｄ１に制限するように協働的に構成されている請求項１に記載の装置。
【請求項６】
前記横方向のシフトのときに、前記スライド機構は、触感および認識可能な音を発生させる請求項１に記載の装置。
【請求項７】
前記スライディングレール部材の下側部分は、スライディングレールブロックを含み、前記スライディングレールブロックは、フロントレールスロットおよびリアレールスロットを含み、
前記レールガイドの上側部分は、ガイドブロックを含み、前記ガイドブロックの前記上側部分は、リニアガイドチャネルを含み、前記リニアガイドチャネルは、フロントガイドスロットおよびリアガイドスロットを含み、
前記スライディングレール部材は、ボール軸受リテイナーフィーチャーをさらに含み、どのように前記器具がスイングされるかということにかかわらず、前記ボール軸受リテイナーフィーチャーは、前記スライディングレールブロックが前記チャネルの中に位置決めされているときに、前記フロントレールスロットと前記フロントガイドスロットとの間に前記フロントボール軸受を保持すると共に、前記スライディングレールブロックが前記チャネルの中に位置決めされているときに、前記リアレールスロットと前記リアガイドスロットとの間に前記リアボール軸受を保持するように適合されている請求項１に記載の装置。
【請求項８】
前記フロントレールスロットおよび前記リアレールスロットは、それらの長手方向軸線が、前記スライディングレール部材の前記長手方向軸線に対して直交する平面に沿って存在するように位置決めされており、
前記ボール軸受リテイナーフィーチャーは、１対のフロントボール軸受リテイナー部材および１対のリアボール軸受リテイナー部材を含み、
前記リテイナー部材のそれぞれは、ポストおよびヘッドを含み、前記ヘッドは、前記ポストの一方の端部の上にリジッドに配設されており、
前記スライディングレールブロックは、１対のフロントリテイナー部材キャビティーおよび１対のリアリテイナー部材キャビティーをさらに含み、
前記フロントリテイナー部材キャビティーおよび前記リアリテイナー部材キャビティーのそれぞれの前記長手方向軸線は、前記平面に沿って存在しており、
前記フロントリテイナー部材キャビティーおよび前記リアリテイナー部材キャビティーのそれぞれは、前記リテイナー部材のうちの所与の１つの前記ポストが前記キャビティーの中へ十分におよびしっかりと挿入されることを可能にするように適合されたサイズおよび形状を含み、前記リテイナー部材の前記ヘッドが、前記スライディングレールブロックの前記左側部または前記右側部のいずれかに接触するようになっており、
前記リテイナー部材のそれぞれの前記ヘッドは、前記ヘッドが前記レールスロットのうちの所与の１つの端部のうちの所与の１つの所定の部分をカバーすることを可能にするように選択された半径方向のサイズを含み、前記部分は、それが組み立てられた後に、前記フロントボール軸受および前記リアボール軸受が前記スライド機構から落下することを防止するように十分に大きくなっており、前記部分は、前記横方向のシフトを可能にするように十分に小さくなっている請求項７に記載の装置。
【請求項９】
前記同軸の位置は、最も右の位置を構成し、前記横方向のシフトは、前記最も右の位置から左側方向に起こる請求項１に記載の装置。
【請求項１０】
前記同軸の位置は、中央の位置を構成し、前記横方向のシフトは、前記器具が左方向にスイングされるときに左側方向に起こり、前記横方向のシフトは、前記器具が右方向にスイングされるときに右側方向に起こる請求項１に記載の装置。
【請求項１１】
前記スポーツ関連の器具は、ゴルフクラブであり、前記横方向のシフトは、０．６５ミリメートルである請求項１に記載の装置。
【請求項１２】
前記スポーツ関連の器具は、野球バットであり、前記横方向のシフトは、３．５ミリメートルである請求項１に記載の装置。
【請求項１３】
前記スポーツ関連の器具は、テニスラケットであり、前記横方向のシフトは、３．０ミリメートルである請求項１に記載の装置。
【発明の詳細な説明】
【技術分野】
【０００１】
本発明は、ユニバーサルスイングトレーニング装置に関する。
【背景技術】
【０００２】
多くのスポーツ活動およびレクリエーション活動は、人が所与のタイプのスポーツ関連の器具をスイングすることを伴う。たとえば、ゴルフというスポーツにおいて、ゴルファーは、ゴルフボールを打とうとしてゴルフクラブをスイングする。野球というスポーツにおいて、バッターは、野球ボールを打とうとして野球バットをスイングする。テニスというスポーツにおいて、テニスプレーヤーは、テニスボールを打とうとしてテニスラケット（テニスラケット（ｒａｃｑｕｅｔ）としても知られる）をスイングする。
【発明の概要】
【発明が解決しようとする課題】
【０００３】
本明細書で説明されているトレーニング装置実施形態は、概して、スイングトレーニング装置に関する。
【課題を解決するための手段】
【０００４】
１つの例示的な実施形態では、ユニバーサルスイングトレーニング装置は、スポーツ関連の器具およびスライド機構を含む。器具は、ギャップを間に形成するように間隔を離して配置された２つの別々の個別セクションを含み、これらのセクションは、近位セクションおよび遠位セクションを含む。スライド機構は、このギャップの中に挿入され、近位セクションの上側端部および遠位セクションの下側端部に接続されている。スライド機構は、レールガイド、複数のフロントボール軸受、複数のリアボール軸受、およびスライディングレールアッセンブリを含み、それらは、スライディングレールアッセンブリがレールガイドの上で同軸の位置に位置しているときに、この上側端部およびこの下側端部が同軸になることを保証するように、ならびに、器具をスイングする間に、この上側端部に対するこの下側端部の横方向のシフトを可能にするように、協働的に構成されている。
【０００５】
別の例示的な実施形態では、ゴルフクラブスイングトレーニング装置は、ゴルフクラブシャフトおよびスライド機構を含む。シャフトは、バット端部およびヘッド端部を有しており、ギャップを間に形成するように間隔を離して配置された２つの別々の個別セクションを含み、これらの部分は、シャフトのバット端部を含む上側シャフト部分と、シャフトのヘッド端部を含む下側シャフト部分とを含む。スライド機構は、このギャップの中に挿入され、上側シャフト部分の下側端部および下側シャフト部分の上側端部に接続されている。スライド機構は、レールガイド、複数のフロントボール軸受、複数のリアボール軸受、およびスライディングレールアッセンブリを含み、それらは、スライディングレールアッセンブリがレールガイドの上で同軸の位置に位置しているときに、この下側端部およびこの上側端部が同軸になることを保証するように、ならびに、クラブをスイングする間に、この下側端部に対するこの上側端部の横方向のシフトを可能にするように、協働的に構成されている。
【０００６】
さらなる別の例示的な実施形態では、野球バットスイングトレーニング装置は、野球バットおよびスライド機構を含む。バットは、ギャップを間に形成するように間隔を離して配置された２つの別々の個別セクションを含み、これらのセクションは、ハンドルセクションおよびバレルセクションを含む。スライド機構は、このギャップの中に挿入され、ハンドルセクションの上側端部およびバレルセクションの下側端部に接続されている。スライド機構は、レールガイド、複数のフロントボール軸受、複数のリアボール軸受、およびスライディングレールアッセンブリを含み、それらは、スライディングレールアッセンブリがレールガイドの上で同軸の位置に位置しているときに、この上側端部およびこの下側端部が同軸になることを保証するように、ならびに、バットをスイングする間に、この上側端部に対するこの下側端部の横方向のシフトを可能にするように、協働的に構成されている。
【０００７】
さらなる別の例示的な実施形態では、テニスラケットスイングトレーニング装置は、テニスラケットおよびスライド機構を含む。ラケットは、ハンドルセクション、ヘッドセクション、およびスロートセクションを含み、スロートセクションは、ハンドルおよびヘッドセクションにリジッドに相互接続している。ハンドルセクションは、ギャップを間に形成するように間隔を離して配置された２つの別々の個別の部分を含み、これらの部分は、上側部分および下側部分を含む。スライド機構は、このギャップの中に挿入され、ハンドルセクションの下側部分の上側端部およびハンドルセクションの上側部分の下側端部に接続されている。スライド機構は、レールガイド、複数のフロントボール軸受、複数のリアボール軸受、およびスライディングレールアッセンブリを含み、それらは、スライディングレールアッセンブリがレールガイドの上で同軸の位置に位置しているときに、この上側端部およびこの下側端部が同軸になることを保証するように、ならびに、ラケットをスイングする間に、この上側端部に対するこの下側端部の横方向のシフトを可能にするように、協働的に構成されている。
【０００８】
先述の概要は、詳細な説明においてさらに下記に説明されている、簡単化された形態の一揃えの概念を紹介するために提供されているということが留意されるべきである。本概要は、特許請求されている主題の重要な特徴または必須の特徴を特定することは意図されておらず、また、特許請求されている主題の範囲を決定する際の補助として使用されることも意図されていない。その唯一の目的は、下記に提示されているより詳細な説明への前置きとして、簡単化された形態で、特許請求されている主題のいくつかの概念を提示することである。
【０００９】
本明細書で説明されているトレーニング装置実施形態の特定の特徴、態様、および利点は、以下の説明、添付の特許請求の範囲、および添付の図面に関連して、より良好に理解されることとなる。
【図面の簡単な説明】
【００１０】
【図１】従来のスポーツ関連の器具、および、器具に関連する従来の物体の例示的な実施形態の平面図を簡単化された形態で図示するダイアグラムであり、人が物体を打とうとして器具をスイングすることを示す図である。
【図２】スポーツ関連の器具の遠位セクションの下側端部と器具の近位セクションの上側端部との間に接続されるように示されているスライド機構の例示的な実施形態の平面図を簡単化された形態で図示するダイアグラムであって、スライド機構は、スライディングレールアッセンブリと、レールガイドと、複数のボール軸受とを含み、スライディングレールアッセンブリは、この下側端部にしっかりと接続されており、スライディングレールアッセンブリおよびこの下側端部が同軸になるようになっており、レールガイドは、この上側端部にしっかりと接続されており、レールガイドおよびこの上側端部が同軸になるようになっており、スライディングレールアッセンブリは、レールガイドの上で同軸の位置に位置しており、これらの下側および上側端部が同軸になるようになっていることを示す図である。
【図３】図２のスライド機構の平面図を簡単化された形態で図示するダイアグラムであり、スライディングレールアッセンブリが、レールガイドの上で最大に非同軸の位置に位置しており、スポーツ関連の器具の遠位セクションの下側端部が、器具の近位セクションの上側端部から所定の距離だけ横断方向にオフセット／シフトされるようになっていることを示す図である。
【図４】９０度右に回転させられた、図２のスライド機構の拡大平面図を簡単化された形態で図示するダイアグラムである。
【図５】図２の線Ｃ−Ｃに沿って見た、図２のスライド機構の拡大断面図を簡単化された形態で図示するダイアグラムである。
【図６】図３の線Ｄ−Ｄに沿って見た、図３のスライド機構の拡大断面図を簡単化された形態で図示するダイアグラムである。
【図７】図２のスライド機構のキャビティーベースの実施形態の拡大平面図を簡単化された形態で図示するダイアグラムである。スライド機構のこの特定の実施形態は、以降では、単に、キャビティーベースのスライド機構と称される。
【図８】図７のキャビティーベースのスライド機構のキャビティーベースのスライディングレール部材の１つの実施形態の単独の透視平面図を簡単化された形態で図示するダイアグラムである。
【図９】図８のキャビティーベースのスライディングレール部材の透視上面図を簡単化された形態で図示するダイアグラムである。
【図１０】９０度右に回転させられた、図９のキャビティーベースのスライディングレール部材の透視平面図を簡単化された形態で図示するダイアグラムである。
【図１１】図９の線Ｅ−Ｅに沿って見た、図８のキャビティーベースのスライディングレール部材の断面図を簡単化された形態で図示するダイアグラムである。
【図１２】図７のキャビティーベースのスライド機構のキャビティーベースのレールガイドの１つの実施形態の単独の透視平面図を簡単化された形態で図示するダイアグラムである。
【図１３】図１２のキャビティーベースのレールガイドの透視底面図を簡単化された形態で図示するダイアグラムである。
【図１４】９０度左に回転させられた、図１３のキャビティーベースのレールガイドの透視平面図を簡単化された形態で図示するダイアグラムである。
【図１５】図１３の線Ｆ−Ｆに沿って見た、図１２のキャビティーベースのレールガイドの断面図を簡単化された形態で図示するダイアグラムである。
【図１６】図２のスライド機構のポストベースの実施形態の分解平面図を簡単化された形態で図示するダイアグラムである。スライド機構のこの特定の実施形態は、以降では、単に、ポストベースのスライド機構と称される。
【図１７】図１６のポストベースのスライド機構のポストベースのスライディングレール部材の例示的な実施形態の単独の透視平面図を簡単化された形態で図示するダイアグラムである。
【図１８】図１７のポストベースのスライディングレール部材の透視上面図を簡単化された形態で図示するダイアグラムである。
【図１９】９０度右に回転させられた、図１８のポストベースのスライディングレール部材の透視平面図を簡単化された形態で図示するダイアグラムである。
【図２０】図１８の線Ｇ−Ｇに沿って見た、図１７のポストベースのスライディングレール部材の断面図を簡単化された形態で図示するダイアグラムである。
【図２１】図１６のポストベースのスライド機構のポストベースのレールガイドの例示的な実施形態の単独の透視平面図を簡単化された形態で図示するダイアグラムである。
【図２２】図２１のポストベースのレールガイドの透視底面図を簡単化された形態で図示するダイアグラムである。
【図２３】９０度左に回転させられた、図２２のポストベースのレールガイドの透視平面図を簡単化された形態で図示するダイアグラムである。
【図２４】図２２の線Ｈ−Ｈに沿って見た、図２１のポストベースのレールガイドの断面図を簡単化された形態で図示するダイアグラムである。
【図２５】図２の線Ｃ−Ｃに沿って見た、図２のスライド機構の代替的な実施形態の拡大断面図を簡単化された形態で図示するダイアグラムである。
【図２６】野球バットのバレルセクションの下側端部とバットのハンドルセクションの上側端部との間に接続されるように示されている代替のスライド機構の例示的な実施形態の平面図を簡単化された形態で図示するダイアグラムであり、代替のスライド機構は、代替のスライディングレールアッセンブリおよび代替のレールガイドを含み、代替のスライディングレールアッセンブリは、この下側端部にしっかりと接続されており、代替のスライディングレールアッセンブリおよびこの下側端部が同軸になるようになっており、代替のレールガイドは、この上側端部にしっかりと接続されており、代替のレールガイドおよびこの上側端部が同軸になるようになっており、代替のスライディングレールアッセンブリは、代替のレールガイドの上で最も右の位置に位置しており、これらの下側および上側端部が同軸になるようになっていることを示す図である。
【図２７】図２６の代替のスライド機構の平面図を簡単化された形態で図示するダイアグラムであり、代替のスライディングレールアッセンブリは、代替のレールガイドの上で最も左の位置に位置しており、野球バットのバレルセクションの下側端部が、バットのハンドルセクションの上側端部から、所定の距離だけ横断方向にオフセットされるようになっていることを示す図である。
【発明を実施するための形態】
【００１１】
トレーニング装置実施形態の以下の説明では、添付の図面が参照されており、図面は、その一部を形成しており、図面には、トレーニング装置が実践され得る特定の実施形態が例証として示されている。トレーニング装置実施形態の範囲から逸脱することなく、他の実施形態が利用され得、構造的変更が行われ得るということが理解される。
【００１２】
また、明確にするために、特有の専門用語が、本明細書で説明されているトレーニング装置実施形態を説明する際に用いられることとなり、これらの実施形態は、そのように選ばれた特有の用語に限定されるということは意図されていないということが留意される。そのうえ、それぞれの特有の用語は、類似の目的を実現するために広く類似する様式で動作する、すべてのその技術的均等物を含むということが理解されるべきである。本明細書において、「１つの実施形態」、または「別の実施形態」、または「例示的な実施形態」、または「代替的な実施形態」、または「１つの実装形態」、または「別の実装形態」、または「例示的な実装形態」、または「代替的な実装形態」、または「１つのバージョン」、または「別のバージョン」、または「例示的なバージョン」、または「代替的なバージョン」を参照することは、実施形態または実装形態に関連して説明されている特定の特徴、特定の構造、または、特定の特性が、トレーニング装置の少なくとも１つの実施形態の中に含まれ得るということを意味している。本明細書においてさまざまな場所にある「１つの実施形態では」、「別の実施形態では」、「例示的な実施形態では」、「代替的な実施形態では」、「１つの実装形態では」、「別の実装形態では」、「例示的な実装形態では」、「代替的な実装形態では」、「１つのバージョンでは」、「別のバージョンでは」、「例示的なバージョンでは」、および「代替的なバージョンでは」という語句の出現は、同じ実施形態または実装形態またはバージョンを必ずしもすべて参照しているわけではなく、また、別々のまたは代替的な実施形態／実装形態／バージョンが、他の実施形態／実装形態／バージョンを相互に排除しない。そのうえ、トレーニング装置の１つまたは複数の実施形態または実装形態またはバージョンを表すプロセスフローの順序は、本質的に、いかなる特定の順序も示しておらず、トレーニング装置のいかなる限定事項も暗示していない。
【００１３】
そのうえ、「を含む（ｉｎｃｌｕｄｅｓ）」、「を含む（ｉｎｃｌｕｄｉｎｇ）」、「を有する」、「を含有する」という用語、それらの変形例、および他の同様の用語が、この詳細な説明または特許請求の範囲のいずれかにおいて使用されている限りにおいて、これらの用語は、任意の追加的なエレメントまたは他のエレメントを排除することなく、開放型の移行句として、「を含む（ｃｏｍｐｒｉｓｉｎｇ）」の用語と同様の様式で、包括的であるということが意図されている。
【００１４】
１．０  ユニバーサルスイングトレーニング装置  
本明細書で説明されているトレーニング装置実施形態は、概して、ユニバーサルスイングトレーニング装置に関し、人は、ユニバーサルスイングトレーニング装置を使用し、どのように彼らが所与のタイプのスポーツ関連の器具をスイングするかというメカニクスを改善する。以下に続くより詳細な説明から理解されることとなるように、トレーニング装置実施形態は、それに限定されないが、ゴルフクラブ、野球バット、およびテニスラケットを含む、人がスイングする任意のタイプのスポーツ関連の器具に適用可能である。一般的に言えば、および、より詳細に以降で説明されることとなるように、トレーニング装置実施形態は、スポーツ関連の器具およびスライド機構を含み、スライド機構は、器具を器具スイングトレーニング装置に変換する様式で、器具の中に間置される（たとえば、搭載される）。より具体的には、および、限定ではないが例として、トレーニング装置の１つの実施形態では、スポーツ関連の器具は、従来のゴルフクラブであり、スライド機構は、ゴルフクラブの中に間置され、それをゴルフクラブスイングトレーニング装置に変換するようになっている。トレーニング装置の別の実施形態では、スポーツ関連の器具は、従来の野球バットであり、スライド機構は、野球バットの中に間置され、それを野球バットスイングトレーニング装置に変換するようになっている。トレーニング装置のさらなる別の実施形態では、スポーツ関連の器具は、従来のテニスラケットであり、スライド機構は、テニスラケットの中に間置され、それをテニスラケットスイングトレーニング装置に変換するようになっている。
【００１５】
図１は、器具に関連する従来の物体を打とうとしている人によってスイングされる従来のスポーツ関連の器具の例示的な実施形態の平面図を簡単化された形態で図示している。図１に例示されているように、スポーツ関連の器具１０は、一般的に、２つの異なる長手方向のセクション、すなわち、近位セクション１４および遠位セクション１２を含む。人は、彼らの手の一方または両方のいずれかによって、器具１０の近位セクション１４の一部分を握り、器具１０の遠位セクション１２の一部分によって物体１８を打とうとして、力強く器具１０をスイング１６する。本明細書で説明されているトレーニング装置の例示的な実施形態では、器具１０は、おおよそ、器具１０の遠位セクション１２の下側端部と器具１０の近位セクション１４の上側端部との間の境界線Ｂ−Ｂにおいて、その長手方向軸線Ａ−Ａに沿って横断方向に切断されており（たとえば、器具１０は、軸線Ａ−Ａに対して直交する方向に切断される）、器具１０の小さい長手方向のセクション２０が除去されている。したがって、この器具１０の切断は、遠位セクション１２を近位セクション１４から分離し、それらの間にギャップを形成する。器具１０の長手方向のセクション２０が除去された後に、スライド機構（図示されていないが、そのさまざまな実施形態は、より詳細に以降で説明されている）がこのギャップの中に挿入されており、人が所望の様式で器具１０をスイング１６するときに、遠位セクション１２が、近位セクション１４に対して、所定の小さい距離だけ横断方向／横方向に移動／シフトすることを可能にするようになっている。前述のトレーニング装置実施形態の例示的な実装形態では、除去される器具１０の長手方向のセクション２０は、長さＬ１を有しており、長さＬ１は、スライド機構がそれらの間に置かれた後の器具１０の長さが、それが切断される前の器具１０の元の長さと同じになるように選択される。
【００１６】
図２は、スポーツ関連の器具の遠位セクション１２の下側端部と器具の近位セクション１４の上側端部との間に接続されるように示されているスライド機構２２の例示的な実施形態の平面図を簡単化された形態で図示している。図２に例示されているように、スライド機構２２は、レールガイド２４と、複数のフロントボール軸受（たとえば、フロントボール軸受２６および２８）と、複数のリアボール軸受（図示せず）と、スライディングレール部材３４、スライド制限部材（図示せず）、およびボール軸受リテイナーフィーチャー３８を含むスライディングレールアッセンブリとを含む。より詳細に以降で説明されることとなるように、スライディングレールアッセンブリは、遠位セクション１２の下側端部にしっかりと（たとえば、保持可能に）接続されており、どのように器具がスイングされるかということにかかわらず、スライディングレールアッセンブリおよびこの下側端部が同軸になることを保証するようになっている。レールガイド２４は、近位セクション１４の上側端部にしっかりと接続されており、どのように器具がスイングされるかということにかかわらず、レールガイドおよびこの上側端部が同軸になることを保証するようになっている。図２に示されているスライディングレールアッセンブリは、レールガイド２４の上で同軸の位置に位置しており、器具の遠位セクション１２の下側端部の長手方向軸線Ｙ１が、器具の近位セクション１４の上側端部の長手方向軸線Ｙ２に整合させられるようになっている（たとえば、スライディングレールアッセンブリが同軸の位置に位置しているときに、これらの下側および上側端部は同軸になっている）。以下に続くスライド機構２２のより詳細な説明から理解されることとなるように、人が器具を保持しそれをスイングするのに備えているとき（たとえば、ゴルファーが、彼らのゴルフクラブを保持しており、クラブのバックスイングを行うときに、または、バッターが、彼らの野球バットを保持しており、そのバレルセクションが、彼らの頭部の後ろに、彼らの肩の一方の上方に持ち上げられた状態になっているときに、または、テニスプレーヤーが、テニスラケットを保持しており、ラケットのバックスイングを行うときに）、スライディングレールアッセンブリ、および、スポーツ関連の器具の遠位セクション１２の下側端部は、前述の同軸の位置に一体となって自然に移動／シフトすることとなる。
【００１７】
図３は、図２のスライド機構２２の平面図を簡単化された形態で図示しており、そこでは、スライディングレールアッセンブリは、レールガイド２４の上で最大に非同軸の位置に位置しており、スポーツ関連の器具の遠位セクション１２の下側端部の長手方向軸線Ｙ１が、器具の近位セクション１４の上側端部の長手方向軸線Ｙ２から、所定の最大レール移動距離Ｄ１だけ、横断方向／横方向にオフセット／シフトされるようになっている。本明細書で説明されているように、遠位セクション１２の下側端部と近位セクション１４の上側端部との間のこの横断方向／横方向のオフセットは、器具の所望のスイング１６の間に受ける力によって引き起こされ得る。添付の図面に示されている最大レール移動距離Ｄ１のサイズ、および、長さＬ２と直径Ｄ２との間の関連の差（それらは、より詳細に以降で説明されている）は、それをより見やすくするために誇張されているということが留意される。
【００１８】
再び図２および図３を参照すると、以下に続くスライド機構２２のより詳細な説明から理解されることとなるように、スライド機構２２の１つの実施形態では、前述の同軸の位置は、スライディングレールアッセンブリがレールガイド２４の上で最も右の位置に位置していることと等しく、前述の最大に非同軸の位置は、スライディングレールアッセンブリがレールガイド２４の上で最も左の位置に位置していることと等しい（たとえば、上述の横断方向／横方向の移動／オフセット／シフトが、最も右の位置から左側方向に起こる）。スライド機構２２の代替的な実施形態では、同軸の位置は、スライディングレールアッセンブリがレールガイド２４の上で中央の位置に位置していることに等しく、最大に非同軸の位置は、スライディングレールアッセンブリがレールガイド２４の上で最も左の位置に位置しているかまたはレールガイド２４の上で最も右の位置に位置しているかのいずれかであることと等しい（たとえば、スポーツ関連の器具が（たとえば、人の右側から彼らの左側へ）左方向にスイングされるときに、横断方向／横方向の移動／オフセット／シフトが、左側方向に起こり、また、スポーツ関連の器具が（たとえば、人の左側から彼らの右側へ）右方向にスイングされるときに、横断方向／横方向の移動／オフセット／シフトが、右側方向に起こる）。
【００１９】
図４は、９０度右に回転させられた、図２のスライド機構２２の拡大平面図を簡単化された形態で図示している。スライディングレール部材３４とレールガイド２４との間を通る上述のスライド制限部材のポスト３６の小さい部分が、図４に示されており、一方、このポスト３６は、図２および図３では見ることができなかった。図５は、図２の線Ｃ−Ｃに沿って見た、図２のスライド機構２２の拡大断面図を簡単化された形態で図示している。図６は、図３の線Ｄ−Ｄに沿って見た、図３のスライド機構２２の拡大断面図を簡単化された形態で図示している。図５および図６に例示されているように、および、再び図３を参照すると、レールガイド２４は、レール移動距離制限フィーチャー４０を含み、スライド機構２２が完全に組み立てられた後に、ポスト３６の底部は、所定の突出距離だけこの距離制限フィーチャー４０の中へ突出している。より詳細に以降で説明されることとなるように、ポスト３６およびレール移動距離制限フィーチャー４０は、器具の近位セクション１４の上側端部に対して、スポーツ関連の器具の遠位セクション１２の下側端部の上述の横断方向／横方向の移動／シフトを、最大レール移動距離Ｄ１に制限するように協働的に構成されている。
【００２０】
図７は、図２のスライド機構２２のキャビティーベースの実施形態の拡大平面図を簡単化された形態で図示している。スライド機構２２のこの特定の実施形態は、以降では、単に、キャビティーベースのスライド機構１００と称される。再び図１を参照すると、および、より詳細に以降で説明されることとなるように、キャビティーベースのスライド機構１００は、スポーツ関連の器具１０が（他のタイプのスポーツ関連の器具の中でも）ゴルフクラブである状況に適用可能である。図１６は、図２のスライド機構２２のポストベースの実施形態の拡大平面図を簡単化された形態で図示している。スライド機構２２のこの特定の実施形態は、以降で、単に、ポストベースのスライド機構２００と称される。ポストベースのスライド機構２００は、スポーツ関連の器具１０が（他のタイプのスポーツ関連の器具の中でも）野球バットまたはテニスラケットである状況に適用可能である。
【００２１】
本明細書で説明されているトレーニング装置実施形態は、それに限定されないが以下のものを含むさまざまな理由のために有利である。図１〜図７および図１６、ならびに、以下に続くこれらの図のより詳細な説明から理解されることとなるように、スライド機構２２／１００／２００の設計は、その構造的完全性（たとえば、その機械的な強度）を最大化しながら、機構の重量を最小化し、最も高くなり得るスイング力および速度であっても、スポーツ関連の器具１０のスイング１６の間の曲がりおよび可能性のある破損に対する強力な機械的抵抗を提供する。図２および図３に例示されているように、スライド機構２２／１００／２００が器具１０の遠位セクション１２および近位セクション１４に完全に組み立てられて接続された後に、スライド機構２２／１００／２００は、器具の近位セクション１４の上側端部に対する、器具の遠位セクション１２の下側端部の、制限された低摩擦の横断方向／横方向の移動を、実質的に機械的な完全性を備えた状態で可能にする。換言すれば、スライド機構２２／１００／２００のレールガイド２４／１０２／２０２、複数のフロントボール軸受（たとえば、フロントボール軸受２６および２８）、複数のリアボール軸受（たとえば、リアボール軸受３０および３２）、ならびに、スライディングレールアッセンブリ１０４／２０４は、器具１０のスイング１６の間の、近位セクション１４の上側端部に対する、遠位セクション１２の下側端部の、低摩擦の横断方向／横方向の移動（たとえば、横断方向／横方向のシフト）を可能にするように協働的に構成されており、ここで、この移動／運動／シフトは、この下側端部の長手方向軸線Ｙ１およびこの上側端部の長手方向軸線Ｙ２の両方に対して直交する方向に拘束され、この移動／運動／シフトは、最大レール移動距離Ｄ１に制限されている。
【００２２】
１．１  ゴルフクラブ適用例  
この章で説明されているトレーニング装置実施形態は、以降では、単に、ゴルフクラブ関連の実施形態と称される。これらのゴルフクラブ関連の実施形態は、概して、ゴルフクラブの分野に関し、より具体的には、ゴルフクラブスイングトレーニング装置に関し、ゴルファーは、ゴルフクラブスイングトレーニング装置を使用し、彼らがどのように彼らのゴルフクラブをスイングするかということ（たとえば、完璧な彼らのスイング）のメカニクスを改善し、したがって、より上手なゴルファーになることが可能である。ゴルフの技術分野で理解されているように、ゴルファーは、ゴルフクラブシャフトの自然な可撓性を用い、適正に打たれたゴルフボール軌道を形状決めし、左から右または右から左のいずれかにボールを選択的にカーブさせることが可能である。以下に続くより詳細な説明から理解されることとなるように、ゴルフクラブ関連の実施形態は、クラブのヘッドの運動量を利用して所望のボール軌道形状を実現するような様式で、ゴルフクラブをスイングすることをゴルファーに教える。換言すれば、ゴルフクラブ関連の実施形態は、具体的には、ゴルファーが、ゴルフボールの軌道の形状を選択的に制御することを学習することを助けるように設計されており、ボールが、制御された様式で、右から左へまたは左から右へ「曲げられる」ようになっている。
【００２３】
再び図１〜図７を参照すると、この章で説明されているゴルフクラブ関連の実施形態では、スポーツ関連の器具１０は、バット端部およびヘッド端部を有する従来のゴルフクラブシャフトであり、物体１８は、従来のゴルフボールであり、器具の遠位セクション１２は、シャフトのヘッド端部を含む下側シャフト部分であり、器具の近位セクション１４は、シャフトのバット端部またはグリップを含む上側シャフト部分であり、スライド機構２２は、キャビティーベースのスライド機構１００である。ゴルフクラブ関連の実施形態は、それに限定されないが以下のものを含むさまざまな理由のために有利である。ゴルフクラブ関連の実施形態は、任意のタイプのゴルフクラブ（他のタイプのゴルフクラブの中でも、たとえば、ドライバークラブなど）とともに使用され得る。また、ゴルフクラブ関連の実施形態は、右から左の様式でスイング１６される右利き用のゴルフクラブ、および、左から右の様式でスイング１６される左利き用のゴルフクラブの両方に対応可能である。
【００２４】
再び図７を参照すると、および、以下に続くゴルフクラブ関連の実施形態のより詳細な説明から理解されることとなるように、キャビティーベースのスライド機構１００が、下側シャフト部分と上側シャフト部分との間に完全に組み立てられて挿入された後に、ゴルファーがゴルフクラブ関連の実施形態を成功して使用する間（すなわち、所望のボール軌道形状を実現するためのゴルフクラブの適正な／好適なスイングの間）に受ける力は、上側シャフト部分の下側端部に対する下側シャフト部分の上側端部の上述の横断方向／横方向の移動／運動／シフトを引き起こすことが可能であり、そして、それは、スライド機構１００が、ゴルファーに、彼らが所望のスイングプロファイルを実現したかどうかということを示す可聴式および触知式の両方のフィードバックを提供することを引き起こすことが可能である。より具体的には、ゴルファーが、上側シャフト部分の下側端部に対する下側シャフト部分の上側端部の横断方向／横方向の移動／運動／シフトを引き起こす様式で、彼らのクラブをスイングするときに、クラブのヘッドは、上述の最大レール移動距離Ｄ１以上の距離だけ、インパクトの前にボールに向けて前進させられ、ヘッドのフェースがボールインパクトのときにスクエアであるときに、右から左へのボール軌道形状を結果として生じさせる。他方では、ゴルファーが、そのような移動／運動／シフトを防止する様式で、彼らのクラブをスイングするときには、下側シャフト部分の上側端部、および、上側シャフト部分の下側端部は、同軸のままであり、ヘッドは、シャフトの軸線の後方でボールをインパクトし、ヘッドのフェースがボールインパクトのときにスクエアであるときに、左から右へのボール軌道形状を結果として生じさせる。したがって、この章において説明されているゴルフクラブ関連の実施形態を用いて練習することによって、ゴルファーは、右から左または左から右のいずれかの所望のボール軌道形状を作り出すために、彼らのスイングをどのように制御および変更するかということを学習することとなる。移動／運動／シフトが起こるときに発生させられるゴルファーへの可聴式のおよび触知式のフィードバックは、彼らのスイングの間にこの移動／運動／シフトが起こったかどうか、および、いつ起こったかということをゴルファーに知らせ、また、この移動／運動／シフトを作り出すかまたはそれを防止するかのいずれかのために、ゴルファーが彼らのスイングメカニクスを修正することを可能にし、所望のボール軌道形状を実現する。
【００２５】
図７に例示されているように、キャビティーベースのスライド機構１００は、キャビティーベースのレールガイド１０２（それは、上述のレールガイド２４の１つの実施形態を表している）、上述の複数のフロントボール軸受（たとえば、フロントボール軸受２６および２８）、ならびに、上述の複数のリアボール軸受（たとえば、リアボール軸受３０および３２）を含む。また、スライド機構１００は、キャビティーベースのスライディングレールアッセンブリ１０４を含み、キャビティーベースのスライディングレールアッセンブリ１０４は、キャビティーベースのスライディングレール部材１０６（それは、上述のスライディングレール部材３４の１つの実施形態を表している）、キャビティーベースのスライド制限部材１０８（それは、１．０章に説明されているスライド制限部材の１つの実施形態を表している）、１対のフロントボール軸受リテイナー部材１１０および１１４、ならびに、１対のリアボール軸受リテイナー部材１１２および１１６を含む。ボール軸受リテイナー部材１１０／１１２／１１４／１１６のこの一群は、上述のボール軸受リテイナーフィーチャー３８の１つの実施形態を表している。
【００２６】
図８は、図７のスライド機構１００のスライディングレール部材１０６の１つの実施形態の単独の透視平面図を簡単化された形態で図示している。図９は、図８のスライディングレール部材１０６の透視上面図を簡単化された形態で図示している。図１０は、９０度右に回転させられた、図９のスライディングレール部材１０６の透視平面図を簡単化された形態で図示している。図１１は、図９の線Ｅ−Ｅに沿って見た、スライディングレール部材１０６の断面図を簡単化された形態で図示している。図１２は、図７のスライド機構１００のレールガイド１０２の１つの実施形態の単独の透視平面図を簡単化された形態で図示している。図１３は、図１２のレールガイド１０２の透視底面図を簡単化された形態で図示している。図１４は、９０度左に回転させられた、図１３のレールガイド１０２の透視平面図を簡単化された形態で図示している。図１５は、図１３の線Ｆ−Ｆに沿って見た、図１２のレールガイド１０２の断面図を簡単化された形態で図示している。
【００２７】
図８〜図１１に例示されているように、および、再び図７を参照すると、キャビティーベースのスライディングレール部材１０６の上側部分は、上側コネクター１１８を含み、上側コネクター１１８は、下側シャフト部分の上側端部がコネクター１１８の上部１５０にしっかりと接続されることを可能にするように適合されており、どのようにクラブがスイングされるかということにかかわらず、この上側端部が、コネクター１１８と同軸になり、したがって、キャビティーベースのスライディングレールアッセンブリ１０４と同軸になることを保証するようになっている。このリジッドな接続は、さまざまな方式で現実化され得るということが留意される。限定ではないが例として、図８〜図１１に示されているキャビティーベースのスライディングレール部材１０６の実施形態では、この適合は、以下の通りに構成されている。上側コネクター１１８の上部端部１５０は、コネクター１１８と同軸の円筒形状のキャビティー１２０を含む。このキャビティー１２０は、直径Ｄ３を有しており、直径Ｄ３は、強力な接着剤が、この上側端部の半径方向の外側表面をキャビティー１２０の半径方向の壁部にリジッドに接着させるために使用されながら、下側シャフト部分の上側端部がキャビティー１２０の中へ下向きにぴったりと挿入されることを可能にするようにサイズ決めされている。さまざまなタイプの接着剤が使用され得るということが認識されることとなる。キャビティーベースのスライド機構１００の例示的な実装形態では、接着剤はエポキシである。スライディングレール部材１０６の下側部分は、スライディングレールブロック１２２を含み、コネクター１１８の底部が、スライディングレールブロック１２２の上部表面１２４の中央の位置の上にリジッドに配設されており、キャビティー１２０およびスライディングレールブロック１２２が、表面１２４に対して直交する共通の長手方向軸線Ｙ３を有するようになっており、したがって、この上側端部がコネクター１１８の上部に接続されているときに、下側シャフト部分の上側端部の長手方向軸線が表面１２４に対して直交することを保証する。
【００２８】
図１２〜図１５に例示されているように、および、再び図７を参照すると、キャビティーベースのレールガイド１０２の下側部分は、下側コネクター１２８を含み、下側コネクター１２８は、上側シャフト部分の下側端部がコネクター１２８の底部１５２にしっかりと接続されることを可能にするように適合されており、どのようにクラブがスイングされるかということにかかわらず、この下側端部が、コネクター１２８と同軸になり、したがって、レールガイド１０２と同軸になることを保証するようになっている。このリジッドな接続は、さまざまな方式で現実化され得るということが留意される。限定ではないが例として、図１２〜図１５に示されているキャビティーベースのレールガイド１０２の実施形態では、この適合は、以下の通りに構成されている。下側コネクター１２８の底部端部１５２は、コネクター１２８と同軸の円筒形状のキャビティー１３０を含む。このキャビティー１３０は、直径Ｄ４を有しており、直径Ｄ４は、上述の強力な接着剤が、この下側端部の半径方向の外側表面をキャビティー１３０の半径方向の壁部にリジッドに接着させるために使用されながら、上側シャフト部分の下側端部がキャビティー１３０の中へ上向きにぴったりと挿入されることを可能にするようにサイズ決めされている。従来のゴルフクラブシャフトにおいて、上側シャフト部分の下側端部の直径は、典型的に、下側シャフト部分の上側端部の直径よりもわずかに大きいので、直径Ｄ４は、典型的に、直径Ｄ３よりもわずかに大きくなっているということが留意される。レールガイド１０２の上側部分は、ガイドブロック１３２を含み、コネクター１２８の上部が、ガイドブロック１３２の底部表面１３４の中央の位置の上にリジッドに配設されており、キャビティー１３０およびガイドブロック１３２が、表面１３４に対して直交する共通の長手方向軸線Ｙ４を有するようになっており、したがって、この下側端部がコネクター１２８の底部１５２に接続されているときに、上側シャフト部分の下側端部の長手方向軸線が表面１３４に対して直交することを保証する。
【００２９】
一般的に言えば、および、再び図４および図７〜図１５を参照すると、キャビティーベースのレールガイド１０２、フロントボール軸受２６／２８、リアボール軸受３０／３２、および、キャビティーベースのスライディングレールアッセンブリ１０４は、ガイド１０２に対するアッセンブリ１０４の低摩擦の横断方向／横方向の移動（たとえば、横断方向／横方向のシフト）を可能にするように協働的に構成されており、ここで、この移動／シフトは、最大レール移動距離Ｄ１に制限されている。より具体的には、キャビティーベースのスライディングレール部材１０６のスライディングレールブロック１２２は、所定の幅Ｗ１を有しており、１対の対向する細長いレールスロット１３６および１３８（すなわち、フロントレールスロット１３６およびリアレールスロット１３８）を含む。図４および図１０に例示されているように、レールスロット１３６および１３８は、それらの長手方向軸線が、スライディングレール部材１０６の長手方向軸線Ｙ３に対して直交する水平方向の平面に沿って存在するように位置決めされている。キャビティーベースのレールガイド１０２のガイドブロック１３２の上側部分は、リニアガイドチャネル１４０を含み、リニアガイドチャネル１４０は、ガイドブロック１３２の左側部１４６からその右側部１４８へ通っており、このチャネル１４０は、一般的に、スライディングレールブロック１２２ならびにフロントおよびリアボール軸受２６／２８／３０／３２の組み合わせがチャネル１４０の中へスライド可能に挿入されるときに、この組み合わせをスライディング係合状態で受け入れるように適合されている。より具体的には、リニアガイドチャネル１４０の垂直方向軸線は、レールガイド１０２の上述の共通の長手方向軸線Ｙ４に整合させられている。ガイドチャネル１４０は、平行な垂直方向の側壁部、ならびに、１対の対向する細長いガイドスロット１４２および１４４（すなわち、フロントガイドスロット１４２およびリアガイドスロット１４４）を有しており、フロントガイドスロット１４２は、チャネル１４０の側壁部のうちの一方の上に存在しており、リアガイドスロット１４４は、チャネル１４０の側壁部のうちの他方の上に存在している。図４および図１４に例示されているように、フロントガイドスロット１４２およびリアガイドスロット１４４は、それらのそれぞれの側壁部の上に位置決めされており、それらの長手方向軸線が、長手方向軸線Ｙ４に対して直交する水平方向の平面に沿って存在するようになっている。また、ガイドチャネル１４０は、幅Ｗ１よりもわずかに大きい所定の幅Ｗ２を有しており、したがって、スライディングレールブロック１２２がチャネル１４０の中で移動可能に位置決めされることを可能にする。フロントレールスロット１３６およびフロントガイドスロット１４２は、共通の形状を有しており、その共通の形状は、半円形よりもわずかに小さくなっており、スライディングレールブロック１２２がガイドチャネル１４０の中に位置決めされているときに、これらのスロット１３６および１４２が、フロントボール軸受２６／２８を低摩擦の転がり係合の状態で受け入れることを可能にするようにサイズ決めされている。したがって、フロントボール軸受２６／２８は、フロントレールスロット１３６およびフロントガイドスロット１４２をわずかに分離する役割を果たしている。キャビティーベースのスライド機構１００の例示的な実施形態では、フロントレールスロット１３６およびフロントガイドスロット１４２のサイズおよび形状は、フロントボール軸受２６／２８のそれぞれの外部表面の一部分のサイズおよび形状にマッチしており、ボール軸受２６／２８のそれぞれとスロット１３６および１４２との間の接触が、ボール軸受２６／２８のそれぞれの表面全体にわたって等しく分配され、したがって、これらのスロットとボール軸受との間の摩擦を最小化するようになっている。同様に、リアレールスロット１３８およびリアガイドスロット１４４は、共通の形状を有しており、その共通の形状は、半円形よりもわずかに小さくなっており、スライディングレールブロック１２２がガイドチャネル１４０の中に位置決めされているときに、これらのスロット１３８および１４４が、リアボール軸受３０／３２を低摩擦の転がり係合の状態で受け入れることを可能にするようにサイズ決めされている。したがって、リアボール軸受３０／３２は、リアレールスロット１３８およびリアガイドスロット１４４をわずかに分離する役割を果たしている。スライド機構１００の例示的な実施形態では、リアレールスロット１３８およびリアガイドスロット１４４のサイズおよび形状は、リアボール軸受３０／３２のそれぞれの外部表面の一部分のサイズおよび形状にマッチしており、ボール軸受３０／３２のそれぞれとスロット１３８および１４４との間の接触が、ボール軸受３０／３２のそれぞれの表面全体にわたって等しく分配され、したがって、これらのスロットとボール軸受との間の摩擦を最小化するようになっている。したがって、スライディングレールブロック１２２がガイドチャネル１４０の中に移動可能に位置決めされると、そして、フロントボール軸受２６／２８が、フロントレールスロット１３６とフロントガイドスロット１４２との間に、転がり可能におよびスライド可能に挿入されると、そして、リアボール軸受３０／３２が、リアレールスロット１３８とリアガイドスロット１４４との間に、転がり可能におよびスライド可能に挿入されると、スライディングレール部材１０６（ひいては、スライディングレールアッセンブリ１０４）は、スライディングレール部材１０６の長手方向軸線Ｙ３（ひいては、スライディングレールアッセンブリ１０４の長手方向軸線）およびレールガイド１０２の長手方向軸線Ｙ４の両方に対して直交する方向にスライド／移動することを許容される。
【００３０】
再び図４、図７、図９、図１０、図１３、および図１４を参照すると、キャビティーベースのスライド機構１００の例示的な実装形態では、前述の幅Ｗ１とＷ２との間の差は、１．０ミリメートル以上、かつ、２．０ミリメートル以下になっている。キャビティーベースのスライディングレール部材１０６は、随意的に、１つまたは複数の重量低減開口（図示せず）を含むことが可能であり、重量低減開口は、キャビティーベースのスライド機構１００の重量をさらに低減させる役割を果たし、これらの開口は、スライディングレール部材１０６の構造的完全性に悪影響を与えることなく、可能な限り大きくなるようにサイズ決めされ得る。同様に、キャビティーベースのレールガイド１０２は、随意的に、１つまたは複数の重量低減開口（同様に図示せず）を含むことが可能であり、重量低減開口は、スライド機構１００の重量を一層さらに低減させる役割を果たし、これらの開口は、レールガイド１０２の構造的完全性に悪影響を与えることなく、可能な限り大きくなるようにサイズ決めされ得る。スライド機構１００の上の外部縁部および角部は、随意的に、ゴルファーの負傷を防止するために、および、スライド機構１００の重量を一層さらに低減させるために、丸みを付けられ得る。
【００３１】
図５、図６、および図１２〜図１５に例示されているように、キャビティーベースのレールガイド１０２のガイドブロック１３２は、また、レール移動距離制限開口１５４を含み、レール移動距離制限開口１５４は、レールガイドのガイドチャネル１４０の底部表面１５６の上に位置付けされている。このレール移動距離制限開口１５４は、上述のレール移動距離制限フィーチャー４０の１つの実施形態を表しているということが留意される。レール移動距離制限開口１５４は、所定の幅Ｗ３および所定の長さＬ２を有しており、レールガイド１０２の例示的な実施形態では、円筒形状のキャビティー１３０とリニアガイドチャネル１４０との間を通っている。図８〜図１１に例示されているように、キャビティーベースのスライディングレール部材１０６は、長手方向の開口１２６を含み、長手方向の開口１２６は、円筒形状のキャビティー１２０からスライディングレール部材１０６の底部１５８（それは、スライディングレールブロック１２２の底部である）へ通っており、この開口１２６の長手方向軸線は、キャビティー１２０およびスライディングレールブロック１２２の両方の共通の長手方向軸線Ｙ３に整合させられている。換言すれば、開口１２６は、上側コネクター１１８およびスライディングレールブロック１２２の両方と同軸になっている。開口１２６は、所定の半径方向断面形状および所定の直径Ｄ５を有している。図７に例示されているように、開口１２６の中へしっかりと挿入されるキャビティーベースのスライド制限部材１０８は、開口嵌合ポスト１６０（それは、上述のポスト３６の１つの実施形態を表している）およびヘッド１６２を含み、ヘッド１６２は、ポスト１６０の上部の上にリジッドに配設されている。ポスト１６０は、開口１２６の半径方向断面形状と同じ半径方向断面形状を有している。また、ポスト１６０は、所定の長さＬ３および所定の直径Ｄ２を有しており、それらは、ポスト１６０が開口１２６の中へ下向きに十分におよびしっかりと挿入されることを可能にするように選択されており、ポスト１６０が、この挿入の後にスライディングレール部材１０６の底部１５８から突出するようになっており（この突出部の一部分が、図４に示されている）、ポスト１６０の底部が、レール移動距離制限開口１５４の中へ上述の突出距離だけ突出するようになっている。
【００３２】
再び図７〜図１１を参照すると、キャビティーベースのスライド機構１００の１つの実装形態では、長手方向の開口１２６は、円形の半径方向断面形状を有することが可能であり、また、ネジ山が付けられ得、また、開口嵌合ポスト１６０の半径方向外側表面が、ポスト１６０が開口１２６にネジ式に接続されることを可能にする様式でネジ山が付けられ得、したがって、キャビティーベースのスライディングレール部材１０６の中へのキャビティーベースのスライド制限部材１０８のしっかりした挿入が、ポスト１６０を開口１２６の中へネジ式に十分に挿入することによって行われることを可能にする。この特定の実装形態では、ロックワッシャー（図示せず）が、随意的に、それが開口１２６の中へネジ式に挿入される前に、ポスト１６０の上に配設され得る。ポスト１６０が開口１２６の中へネジ式に十分に挿入されるときに、ロックワッシャーは、ヘッド１６２の底部と円筒形状のキャビティー１２０の底部との間に挟まれることとなる。開口１２６にネジ山が付けられておらず、ポスト１６０の半径方向外側表面にもネジ山が付けられていない、スライド機構１００の別の実装形態では、開口１２６は、さまざまな半径方向断面形状（たとえば、他の２次元の形状の中でも、円形、正方形、および六角形）のうちの任意の１つを有することが可能であり、スライディングレール部材１０６の中へのスライド制限部材１０８のしっかりとした挿入は、ポスト１６０の半径方向外側表面を開口１２６の半径方向の壁部にリジッドに接着させるために上述の強力な接着剤が使用されながら、ポスト１６０を開口１２６の中へ挿入することによって行われ得る。
【００３３】
再び図２〜図１５を参照すると、キャビティーベースのスライディングレール部材１０６のスライディングレールブロック１２２が、キャビティーベースのレールガイド１０２のガイドチャネル１４０の中に移動可能に位置決めされているときに、ボール軸受リテイナーフィーチャー３８は、一般的に、フロントレールスロット１３６とフロントガイドスロット１４２との間に、フロントボール軸受２６／２８を保持すると共に、リアレールスロット１３８とリアガイドスロット１４４との間に、リアボール軸受３０／３２を保持するように適合されている。ボール軸受リテイナーフィーチャー３８は、さまざまな方式で現実化され得るということが留意される。限定ではないが例として、図２〜図４および図７〜図１０に示されているキャビティーベースのスライディングレールアッセンブリ１０４の実施形態では、ボール軸受リテイナーフィーチャー３８は、以下の通り現実化される。ボール軸受リテイナーフィーチャーは、上述のフロントボール軸受リテイナー部材１１０および１１４、ならびに、リアボール軸受リテイナー部材１１２および１１６を含む。これらのリテイナー部材１１０／１１２／１１４／１１６のそれぞれは、ポスト（たとえば、ポスト１６４）およびヘッド（たとえば、ヘッド１６６）を含み、ヘッドは、ポストの一方の端部の上にリジッドに配設されている。スライディングレールブロック１２２は、１対のフロントリテイナー部材キャビティー１６８および１７０、ならびに、１対のリアリテイナー部材キャビティー１７２および１７４を含み、これらのキャビティー１６８／１７０／１７２／１７４のそれぞれの長手方向軸線は、上述の水平方向の平面に沿って存在しており、レールスロット１３６および１３８は、（図８および図１０に示されているように）上述の水平方向の平面に沿って位置決めされており、これらのキャビティー１６８／１７０／１７２／１７４のそれぞれは、リテイナー部材１１０／１１２／１１４／１１６のうちの所与の１つのポスト（たとえば、ポスト１６４）がキャビティーの中へ十分におよびしっかりと挿入されることを可能にするように適合されたサイズおよび形状を有しており、このリテイナー部材のヘッド（たとえば、ヘッド１６６）が、（図２〜図４に示されているように）スライディングレールブロック１２２の左側部１８４または右側部１８６に接触するようになっている。スライディングレールアッセンブリ１０４の１つの実装形態では、キャビティー１６８／１７０／１７２／１７４のそれぞれは、円形の半径方向断面形状を有することが可能であり、また、ネジ山が付けられ得、また、リテイナー部材１１０／１１２／１１４／１１６のそれぞれのポストの半径方向外側表面が、それがキャビティー１６８／１７０／１７２／１７４のうちの所与の１つにネジ式に接続されることを可能にするような様式で、ネジ山が付けられ得る。図３および図４に示されているように、リテイナー部材１１０／１１２／１１４／１１６のそれぞれのヘッドは、このヘッドがレールスロット１３６／１３８のうちの所与の１つの端部のうちの所与の１つの所定の部分をカバーすることを可能にするように選択された半径方向のサイズを有しており、この部分は、どのようにゴルフクラブがスイングされるかということにかかわらず、それが完全に組み立てられた後に、ボール軸受２６／２８／３０／３２がスライド機構１００から落下することを防止するように十分に大きくなっており、そして、ガイド１０２に対するアッセンブリ１０４の上述の横断方向／横方向の移動を可能にするように十分に小さくなっている（たとえば、フロントボール軸受リテイナー部材１１０および１１４は、フロントレールスロット１３６とフロントガイドスロット１４２との間に、フロントボール軸受２６／２８を保持しており、リアボール軸受リテイナー部材１１２および１１６は、リアレールスロット１３８とリアガイドスロット１４４との間に、リアボール軸受３０／３２を保持している）。
【００３４】
図４〜図６、および、この章で説明されているキャビティーベースのスライド機構１００の機能的動作から理解されることとなるように、ならびに、再び図７〜図１５を参照すると、キャビティーベースのスライド機構１００が完全に組み立てられた後に、キャビティーベースのスライド制限部材１０８の開口嵌合ポスト１６０の長さＬ３は、このポスト１６０の底部がキャビティーベースのレールガイド１０２の上のレール移動距離制限開口１５４の中へ上述の突出距離だけ突出することとなるように選択される。ここで、より詳細に説明されることとなるように、この開口１５４は、ポスト１６０の移動をこの距離Ｄ１に制限することによって、キャビティーベースのスライディングレールアッセンブリ１０４の移動を最大レール移動距離Ｄ１に制限する（たとえば、上述の横断方向／横方向の移動／運動／シフトを制限する）ように適合されている。より具体的には、開口１５４は、１対の対向する垂直方向の側壁部１７６および１７８を有しており、１対の対向する垂直方向の側壁部１７６および１７８は、互いに平行になっており、また、レールガイドのリニアガイドチャネル１４０の垂直方向の側壁部に対して平行になっている。開口１５４は、互いに対称的な別の対の対向する垂直方向の側壁部１８０および１８２を有しており、これらの側壁部１８０および１８２の両方の水平方向中央部分は、キャビティーベースのスライディングレール部材１０６のスライド／移動の方向に対して直交し、ひいては、スライド制限部材１０８のポスト１６０のスライド／移動の方向に対して直交している。図５および図６に例示されているように、開口１５４の幅Ｗ３および長さＬ２の両方は、ポスト１６０の直径Ｄ２よりも大きくなっており、したがって、ポスト１６０が開口１５４の中で横方向に（たとえば、図２、図３、図５、および図６の視点から左方向および右方向に）進行することを可能にする。図５および図６から理解されることとなるように、長さＬ２と直径Ｄ２との間の差は、距離Ｄ１を定義している。スライディングレールアッセンブリ１０４が、レールガイド１０２の上で上述の同軸の位置に位置しているときに、ポスト１６０の右側部が、図５に示されているように、側壁部１８２と接触している。スライディングレールアッセンブリ１０４が、レールガイド１０２の上で上述の最大に非同軸の位置に位置しているときに（それは、図示されているケースでは、最も左の位置である）、ポスト１６０の左側部が、図６に示されているように、側壁部１８０に接触している。一般的に言えば、長さＬ２および直径Ｄ２は、距離Ｄ１が任意の値を有することができるように選択され得、この値は、他の要因の中でも、ゴルフクラブの剛性に基づいて選択される。限定ではないが例として、スライド機構１００の例示的な実施形態では、長さＬ２および直径Ｄ２は、距離Ｄ１がおおよそ０．６５ミリメートルとなるように選択される。
【００３５】
先述の場合、および、再び図５〜図７を参照すると、キャビティーベースのスライド機構１００は、ゴルファーが所望の様式でクラブをスイングするときに、ゴルファーが上側シャフト部分の下側端部に対する下側シャフト部分の上側端部の横断方向／横方向の移動／運動／シフトを聞いて感じることを可能にするということが認識されることとなる。換言すれば、本明細書で説明されているように、スライド機構１００がクラブのシャフトの中へ間置されるときに、スライド機構１００は、ゴルファーに、彼らが所望のスイングプロファイルを実現したかどうかということを示す上述の可聴式および触知式の両方のフィードバックを提供する。たとえば、下側シャフト部分の上側端部を上側シャフト部分の下側端部に対して左方向に横断方向／横方向に移動／シフトさせる様式で、クラブがスイングされ、キャビティーベースのスライディングレールアッセンブリ１０４が、キャビティーベースのレールガイド１０２の上で最大に非同軸の位置に到達するようになっており、また、開口嵌合ポスト１６０の左側部が、レール移動距離制限開口１５４の垂直方向の側壁部１８０にインパクトするようになっているときに、スライド機構１００は、認識可能な音を発生させることとなり（たとえば、ゴルファーは、「クリック」音を聞くこととなる）、また、クラブの近位端部において触感を発生させることとなる（たとえば、ゴルファーは、機構１００から上側シャフト部分を通して彼らの手の中へ進行する振動を感じることとなる）。
【００３６】
また、キャビティーベースのスライド機構は、シャフトに沿って、任意の所望の場所において、ゴルフクラブシャフトの中へ間置され得るということが理解されることとなる。シャフトに沿ってどの場所で、上述の切断が行われるべきであるかということ、および、スライド機構が間置されるべきであるかということを決定することは、以下のものなどのようなさまざまな要因の考慮を必要とする。シャフトのバット端部の上のグリップのより近くにスライド機構を位置付けすることは、クラブがスイングされるときの下側シャフト部分の中の撓みを最大化し、それは、有利である。しかし、スライド機構の固有の重量は、また、クラブのバランス点を変化させる可能性もあり、それは、不利益であり、この変化の程度は、スライド機構の実際の重量、および、スライド機構が間置される、シャフトに沿った特定の場所に依存する。ゴルフクラブがグラファイトシャフトおよびおおよそ４５インチ（１１４．３ｃｍ）の全体長さを有すドライバークラブである、この章で説明されているゴルフクラブ関連の実施形態の例示的な実装形態では、スライド機構がその中に挿入される上述のギャップは、クラブ（クラブのヘッドを含む）合計長さの約３０パーセントのシャフトのバット端部からの距離に位置付けされている。
【００３７】
１．２  野球バット適用例  
この章で説明されているトレーニング装置実施形態は、以降では、単に、野球バット関連の実施形態と称される。これらの野球バット関連の実施形態は、概して、野球バットの分野に関し、より具体的には、野球バットスイングトレーニング装置に関し、バッターは、野球バットスイングトレーニング装置を使用し、彼らがどのように彼らのバットをスイングするかということ（たとえば、完璧な彼らのスイング）のメカニクスを改善し、したがって、より上手な打者になることが可能である（たとえば、彼らのスイングの速度を増加させ、彼らが打席についている間にヒットを打つ頻度を増加させる）。換言すれば、および、以下に続くより詳細な説明から理解されることとなるように、野球バット関連の実施形態は、バットをより速くスイングする（たとえば、彼らのバット速度およびパワーを増加させる）ことをバッターに教え、したがって、バッターが彼らに投げられた野球ボールをより強くかつさらにより着実に打つことを可能にする。
【００３８】
再び図１〜図６および図１６を参照すると、この章で説明されている野球バット関連の実施形態では、スポーツ関連の器具１０は、従来の野球バットであり、物体１８は、従来の野球ボールであり、器具の遠位セクション１２は、バットのバレルセクションであり、器具の近位セクション１４は、バットのハンドルセクションであり、スライド機構２２は、ポストベースのスライド機構２００である。野球バット関連の実施形態は、それに限定されないが以下のものを含むさまざまな理由のために有利である。野球バット関連の実施形態は、それに限定されないが、従来の木製バット、または、従来の金属バット、または、従来のコンポジットバット、または、従来のハイブリッドバットを含む、任意のタイプの野球バットとともに使用され得る。野球というスポーツにおいて理解されているよう、木製バットは、金属バットよりも可撓性であり、また、一般的に、コンポジットバットおよびハイブリッドバットよりも可撓性である。良好なスイングメカニクスを有するバッターは、木製バットがそれがスイングされるときに撓むことを引き起こすことが可能である。この撓むことは、一般的に、バットの近位端部と遠位端部との間の中間で起こり、バレルセクションの速度／パワーをさらに増加させる。先述の場合、スライド機構２００が、金属バット、またはコンポジットバット、またはハイブリッドバットの中へ間置されるときに、スライド機構２００は、金属／コンポジット／ハイブリッドバットが木製バットをシミュレートすることを可能にするということが認識されることとなる。
【００３９】
再び図１６を参照すると、および、以下に続く野球バット関連の実施形態のより詳細な説明から理解されることとなるように、ポストベースのスライド機構２００が、野球バットのバレルセクションとバットのハンドルセクションとの間に完全に組み立てられて挿入された後に、バッターが野球バット関連の実施形態を成功して使用する間（すなわち、バットの適正な／好適なスイングの間）に受ける力は、ハンドルセクションの上側端部に対するバレルセクションの下側端部の上述の横断方向／横方向の移動／運動／シフトを引き起こすことが可能であり、そして、それは、スライド機構２００が、バッターに、彼らが所望のスイングプロファイルを実現したかどうかということを示す可聴式および触知式の両方のフィードバックを提供することを引き起こすことが可能である。この可聴式および触知式のフィードバックは、それが野球ボールをインパクトするバットを現実的にシミュレートするので有利である。したがって、この章において説明されている野球バット関連の実施形態を用いて練習することによって、バッターは、どのように彼らのバット速度およびパワーを増加させるかということを学習することとなる。
【００４０】
追加的に、野球の技術分野において理解されているように、バッターは、打席に入る直前にウオーミングアップすることが多い。所与のバッターは、以下のものを含むさまざまな方式で、このウオーミングアップを行うことが可能である。バッターは、彼らが打席で使用しようとしているバットよりもかなり重い野球バットをスイングすることによって、ウオーミングアップすることが可能である。また、バッターは、従来のバットの組み合わせをスイングすることによって、ウオーミングアップすることが可能であり、それは、同様に、彼らが打席で使用しようとしているバットと比較して重量を増加させている。また、バッターは、従来の重りの付いたドーナツリングを彼らのバットの上に滑り込ませ、次いで、この一時的に重りの付いたバットをスイングすることによってウオーミングアップすることが可能である。この章で説明されている野球バット関連の実施形態は、それらがバッターによってウオーミングアップデバイスとして使用され得るという点において、さらに有利である。より具体的には、野球バット関連の実施形態の例示的なウオーミングアップ実装形態では、ポストベースのスライド機構がバットのバレルセクションとハンドルセクションとの間に完全に組み立てられて挿入された後に、バッターは、従来の重りの付いたドーナツリングをバットのバレルセクションの上に滑り込ませることが可能である。次いで、バッターがこのウオーミングアップ実装形態をスイングするときに、前述の横断方向／横方向の移動／運動／シフトが起こるときにバッターに提供される、前述の可聴式のおよび触知式のフィードバックが、ボールを打つ感覚をバッターに提供することとなる。
【００４１】
図１６に例示されているように、ポストベースのスライド機構２００は、ポストベースのレールガイド２０２（それは、上述のレールガイド２４の別の実施形態を表している）、上述の複数のフロントボール軸受（たとえば、フロントボール軸受２６および２８）、ならびに、上述の複数のリアボール軸受（たとえば、リアボール軸受３０および３２）を含む。また、スライド機構２００は、ポストベースのスライディングレールアッセンブリ２０４を含み、ポストベースのスライディングレールアッセンブリ２０４は、ポストベースのスライディングレール部材２０６（それは、上述のスライディングレール部材３４の別の実施形態を表している）、ポストベースのスライド制限部材２０８（それは、１．０章に説明されているスライド制限部材の別の実施形態を表している）、上述の１対のフロントボール軸受リテイナー部材１１０および１１４、ならびに、上述の１対のリアボール軸受リテイナー部材１１２および１１６を含む。これまでに説明されているように、ボール軸受リテイナー部材１１０／１１２／１１４／１１６のこの一群は、上述のボール軸受リテイナーフィーチャー３８の１つの実施形態を表している。
【００４２】
図１７は、図１６のスライド機構２００のスライディングレール部材２０６の例示的な実施形態の単独の透視平面図を簡単化された形態で図示している。図１８は、図１７のスライディングレール部材２０６の透視上面図を簡単化された形態で図示している。図１９は、９０度右に回転させられた、図１８のスライディングレール部材２０６の透視平面図を簡単化された形態で図示している。図２０は、図１８の線Ｇ−Ｇに沿って見た、スライディングレール部材２０６の断面図を簡単化された形態で図示している。図２１は、図１６のスライド機構２００のレールガイド２０２の例示的な実施形態の単独の透視平面図を簡単化された形態で図示している。図２２は、図２１のレールガイド２０２の透視底面図を簡単化された形態で図示している。図２３は、９０度左に回転させられた、図２２のレールガイド２０２の透視平面図を簡単化された形態で図示している。図２４は、図２２の線Ｈ−Ｈに沿って見た、図２１のレールガイド２０２の断面図を簡単化された形態で図示している。
【００４３】
図１７〜図２０に例示されているように、および、再び図１６を参照すると、ポストベースのスライディングレール部材２０６の上側部分は、バットのバレルセクションの下側端部がこの上側部分にしっかりと接続されることを可能にするように適合されており、どのようにバットがスイングされるかということにかかわらず、この下側端部が、ポストベースのスライディングレールアッセンブリ２０４と同軸になることを保証するようになっている。このしっかりとした接続は、さまざまな方式で現実化され得るということが留意される。限定ではないが例として、図１７〜図２０に示されているポストベースのスライディングレール部材２０６の実施形態では、この適合は、以下の通りに構成されている。スライディングレール部材２０６の上側部分は、バレル嵌合ポスト２１０を含み、スライディングレール部材２０６の下側部分は、スライディングレールブロック２１２を含み、ポスト２１０の底部が、スライディングレールブロック２１２の上部表面２１４の中央の位置の上にリジッドに配設されており、ポスト２１０およびスライディングレールブロック２１２が、表面２１４に対して直交する共通の長手方向軸線Ｙ５を有するようになっており、したがって、この下側端部がスライディングレール部材２０６に接続されているときに、バレルセクションの下側端部の長手方向軸線が表面２１４に対して直交することを保証し、また、バレルセクションの底部表面が表面２１４と同一平面上にあることを保証する。
【００４４】
再び図１７〜図２０を参照すると、バレル嵌合ポスト２１０は、バットのバレルセクションの下側端部の上に形成されている長手方向のキャビティーの半径方向断面形状と同じ半径方向断面形状を有しており、このキャビティーの長手方向軸線は、バレルセクションの下側端部の長手方向軸線に整合させられている。また、バレル嵌合ポスト２１０は、所定の長さＬ４および所定の直径Ｄ６を有しており、それらは、ポスト２１０が長手方向のキャビティーの中へ上向きに十分におよびぴったりと挿入されることを可能にするように選択されている。バットが中実の長手方向の内部を有する（それは、一般的に、木製バットのケースである）、この章で説明されている野球バットスイングトレーニング装置の１つの実施形態では、バットが切断され、上述の長手方向のセクションが除去された後に、長手方向のキャビティーが、バレルセクションの下側端部の上に形成され得る。この特定の実施形態の１つの実装形態では、長手方向のキャビティーは、円形の半径方向断面形状を有することが可能であり、バレル嵌合ポスト２１０の半径方向外側表面は、ネジ山が付けられ得、したがって、ポストベースのスライディングレール部材２０６へのバレルセクションの下側端部のしっかりとした接続が、ポスト２１０をキャビティーの中へネジ式に挿入することによって行われることを可能にする。この特定の実装形態の１つのバージョンでは、バレル嵌合ポスト２１０の上のネジ山は、反時計回りの配置で形成されており、それは、有利である。その理由は、それが、バットが右利きのバッターによってスイングされるときに、バレルセクションの下側端部とスライディングレール部材２０６との間の接続が、緊密／しっかりとしたままであるということを結果として生じさせるからである。この特定の実装形態の別のバージョンでは、バレル嵌合ポスト２１０の上のネジ山は、時計回りの配置で形成されており、それは、有利である。その理由は、それが、バットが左利きのバッターによってスイングされるときに、バレルセクションの下側端部とスライディングレール部材２０６との間の接続が、緊密／しっかりとしたままであるということを結果として生じさせるからである。バレル嵌合ポスト２１０の半径方向外側表面にネジ山が付けられていない（たとえば、滑らかである）、この特定の実施形態の別の実装形態では、長手方向のキャビティーは、さまざまな半径方向断面形状（たとえば、他の２次元の形状の中でも、円形、正方形、六角形、および三角形）のうちの任意の１つを有することが可能であり、バレルセクションの下側端部とスライディングレール部材２０６のしっかりとした接続は、ポスト２１０の半径方向外側表面をキャビティーの半径方向の壁部にリジッドに接着させるために上述の強力な接着剤が使用されながら、ポスト２１０をキャビティーの中へ挿入することによって行われ得る。バットが中空の長手方向の内部を有する（それは、一般的に、金属バットおよびほとんどのコンポジットバットに関するケースである）、野球バットスイングトレーニング装置の別の実施形態では、円形の半径方向断面形状を有する長手方向のキャビティーが、バレルセクションの下側端部の上に自然に存在しており、このキャビティーの長手方向軸線は、バレルセクションの下側端部の長手方向軸線に整合させられている。この特定の実施形態の例示的な実装形態では、バレル嵌合ポスト２１０の半径方向外側表面にネジ山が付けられておらず、また、バレルセクションの下側端部とスライディングレール部材２０６のしっかりとした接続は、ポスト２１０の半径方向外側表面をキャビティーの半径方向の壁部にリジッドに接着させるために強力な接着剤が使用されながら、ポスト２１０を長手方向のキャビティーの中へ挿入することによって行われ得る。
【００４５】
図２１〜図２４に例示されているように、および、再び図１６を参照すると、ポストベースのレールガイド２０２の下側部分は、バットのハンドルセクションの上側端部がこの下側部分にしっかりと接続されることを可能にするように適合されており、どのようにバットがスイングされるかということにかかわらず、この上側端部がレールガイド２０２と同軸になることを保証するようになっている。このしっかりとした接続は、さまざまな方式で現実化され得るということが留意される。限定ではないが例として、図２１〜図２４に示されているポストベースのレールガイド２０２の実施形態では、この適合は、以下の通りに構成されている。レールガイド２０２の下側部分は、ハンドル嵌合ポスト２１６を含み、レールガイド２０２の上側部分は、ガイドブロック２１８を含み、ポスト２１６の上部が、ガイドブロック２１８の底部表面２２０の中央の位置の上にリジッドに配設されており、ポスト２１６およびガイドブロック２１８が、表面２２０に対して直交する共通の長手方向軸線Ｙ６を有するようになっており、したがって、この上側端部がレールガイド２０２に接続されているときに、ハンドルセクションの上側端部の長手方向軸線が表面２２０に対して直交することを保証し、また、ハンドルセクションの上部表面が表面２２０と同一平面上にあることを保証する。
【００４６】
再び図１７〜図２０を参照すると、ハンドル嵌合ポスト２１６は、バットのハンドルセクションの上側端部の上に形成されている長手方向のキャビティーの半径方向断面形状と同じ半径方向断面形状を有しており、このキャビティーの長手方向軸線は、ハンドルセクションの上側端部の長手方向軸線に整合させられている。また、ハンドル嵌合ポスト２１６は、所定の長さＬ５および所定の直径Ｄ７を有しており、それらは、ポスト２１６が長手方向のキャビティーの中へ下向きに十分におよびぴったりと挿入されることを可能にするように選択されている。バットが中実の長手方向の内部を有する、この章で説明されている野球バットスイングトレーニング装置の上述の実施形態では、バットが切断され、上述の長手方向のセクションが除去された後に、長手方向のキャビティーが、ハンドルセクションの上側端部の上に形成され得る。この特定の実施形態の１つの実装形態では、長手方向のキャビティーは、円形の半径方向断面形状を有することが可能であり、ハンドル嵌合ポスト２１６の半径方向外側表面は、ネジ山が付けられ得、したがって、ポストベースのレールガイド２０２へのハンドルセクションの上側端部のしっかりとした接続が、ポスト２１６をキャビティーの中へネジ式に挿入することによって行われることを可能にする。この特定の実装形態の１つのバージョンでは、ハンドル嵌合ポスト２１６の上のネジ山は、反時計回りの配置で形成されており、それは、有利である。その理由は、それが、バットが右利きのバッターによってスイングされるときに、ハンドルセクションの上側端部とレールガイド２０２との間の接続が、緊密／しっかりとしたままであるということを結果として生じさせるからである。この特定の実装形態の別のバージョンでは、ハンドル嵌合ポスト２１６の上のネジ山は、時計回りの配置で形成されており、それは、有利である。その理由は、それが、バットが左利きのバッターによってスイングされるときに、ハンドルセクションの上側端部とレールガイド２０２との間の接続が、緊密／しっかりとしたままであるということを結果として生じさせるからである。ハンドル嵌合ポスト２１６の半径方向外側表面にネジ山が付けられていない（たとえば、滑らかである）、この特定の実施形態の別の実装形態では、長手方向のキャビティーは、さまざまな半径方向断面形状（たとえば、他の２次元の形状の中でも、円形、正方形、六角形、および三角形）のうちの任意の１つを有することが可能であり、ハンドルセクションの上側端部とレールガイド２０２のしっかりとした接続は、ポスト２１６の半径方向外側表面をキャビティーの半径方向の壁部にリジッドに接着させるために上述の強力な接着剤が使用されながら、ポスト２１６をキャビティーの中へ挿入することによって行われ得る。バットが中空の長手方向の内部を有する、野球バットスイングトレーニング装置の上述の他の実施形態では、円形の半径方向断面形状を有する長手方向のキャビティーが、ハンドルセクションの上側端部の上に自然に存在しており、このキャビティーの長手方向軸線は、ハンドルセクションの上側端部の長手方向軸線に整合させられている。この特定の実施形態の例示的な実装形態では、ハンドル嵌合ポスト２１６の半径方向外側表面にネジ山が付けられておらず、また、ハンドルセクションの上側端部とレールガイド２０２のしっかりとした接続は、ポスト２１６の半径方向外側表面をキャビティーの半径方向の壁部にリジッドに接着させるために強力な接着剤が使用されながら、ポスト２１６を長手方向のキャビティーの中へ挿入することによって行われ得る。
【００４７】
一般的に言えば、および、再び図４および図１６〜図２４を参照すると、ポストベースのレールガイド２０２、フロントボール軸受２６／２８、リアボール軸受３０／３２、および、ポストベースのスライディングレールアッセンブリ２０４は、ガイド２０２に対するアッセンブリ２０４の低摩擦の横断方向／横方向の移動（たとえば、横断方向／横方向のシフト）を可能にするように協働的に構成されており、ここで、この移動／シフトは、上述の最大レール移動距離Ｄ１に制限されている。より具体的には、ポストベースのスライディングレール部材２０６のスライディングレールブロック２１２は、上述の幅Ｗ１を有しており、１対の対向する細長いレールスロット２２２および２２４（すなわち、フロントレールスロット２２２およびリアレールスロット２２４）を含む。図４および図１９に例示されているように、レールスロット２２２および２２４は、それらの長手方向軸線が、スライディングレール部材２０６の長手方向軸線Ｙ５に対して直交する水平方向の平面に沿って存在するように位置決めされている。ポストベースのレールガイド２０２のガイドブロック２１８の上側部分は、リニアガイドチャネル２２６を含み、リニアガイドチャネル２２６は、ガイドブロック２１８の左側部２２８からその右側部２３０へ通っており、このチャネル２２６は、一般的に、スライディングレールブロック２１２ならびにフロントおよびリアボール軸受２６／２８／３０／３２の組み合わせがチャネル２２６の中へスライド可能に挿入されるときに、この組み合わせをスライディング係合状態で受け入れるように適合されている。より具体的には、リニアガイドチャネル２２６の垂直方向軸線は、レールガイド２０２の上述の共通の長手方向軸線Ｙ６に整合させられている。ガイドチャネル２２６は、平行な垂直方向の側壁部、ならびに、１対の対向する細長いガイドスロット２３２および２３４（すなわち、フロントガイドスロット２３２およびリアガイドスロット２３４）を有しており、フロントガイドスロット２３２は、チャネル２２６の側壁部のうちの一方の上に存在しており、リアガイドスロット２３４は、チャネル２２６の側壁部のうちの他方の上に存在している。図４および図２３に例示されているように、フロントガイドスロット２３２およびリアガイドスロット２３４は、それらのそれぞれの側壁部の上に位置決めされており、それらの長手方向軸線が、長手方向軸線Ｙ６に対して直交する水平方向の平面に沿って存在するようになっている。また、ガイドチャネル２２６は、幅Ｗ１よりもわずかに大きい上述の幅Ｗ２を有しており、したがって、スライディングレールブロック２１２がチャネル２２６の中で移動可能に位置決めされることを可能にする。フロントレールスロット２２２およびフロントガイドスロット２３２は、共通の形状を有しており、その共通の形状は、半円形よりもわずかに小さくなっており、スライディングレールブロック２１２がガイドチャネル２２６の中に位置決めされているときに、これらのスロット２２２および２３２が、フロントボール軸受２６／２８を低摩擦の転がり係合の状態で受け入れることを可能にするようにサイズ決めされている。したがって、フロントボール軸受２６／２８は、フロントレールスロット２２２およびフロントガイドスロット２３２をわずかに分離する役割を果たしている。ポストベースのスライド機構２００の例示的な実施形態では、フロントレールスロット２２２およびフロントガイドスロット２３２のサイズおよび形状は、フロントボール軸受２６／２８のそれぞれの外部表面の一部分のサイズおよび形状にマッチしており、ボール軸受２６／２８のそれぞれとスロット２２２および２３２との間の接触が、ボール軸受２６／２８のそれぞれの表面全体にわたって等しく分配され、したがって、これらのスロットとボール軸受との間の摩擦を最小化するようになっている。同様に、リアレールスロット２２４およびリアガイドスロット２３４は、共通の形状を有しており、その共通の形状は、半円形よりもわずかに小さくなっており、スライディングレールブロック２１２がガイドチャネル２２６の中に位置決めされているときに、これらのスロット２２４および２３４が、リアボール軸受３０／３２を低摩擦の転がり係合の状態で受け入れることを可能にするようにサイズ決めされている。したがって、リアボール軸受３０／３２は、リアレールスロット２２４およびリアガイドスロット２３４をわずかに分離する役割を果たしている。スライド機構２００の例示的な実施形態では、リアレールスロット２２４およびリアガイドスロット２３４のサイズおよび形状は、リアボール軸受３０／３２のそれぞれの外部表面の一部分のサイズおよび形状にマッチしており、ボール軸受３０／３２のそれぞれとスロット２２４および２３４との間の接触が、ボール軸受３０／３２のそれぞれの表面全体にわたって等しく分配され、したがって、これらのスロットとボール軸受との間の摩擦を最小化するようになっている。したがって、スライディングレールブロック２１２がガイドチャネル２２６の中に移動可能に位置決めされると、そして、フロントボール軸受２６／２８が、フロントレールスロット２２２とフロントガイドスロット２３２との間に、転がり可能におよびスライド可能に挿入されると、そして、リアボール軸受３０／３２が、リアレールスロット２２４とリアガイドスロット２３４との間に、転がり可能におよびスライド可能に挿入されると、スライディングレール部材２０６（ひいては、スライディングレールアッセンブリ２０４）は、スライディングレール部材２０６の長手方向軸線Ｙ５（ひいては、スライディングレールアッセンブリ２０４の長手方向軸線）およびレールガイド２０２の長手方向軸線Ｙ６の両方に対して直交する方向にスライド／移動することを許容される。
【００４８】
再び図４、図１６、図１８、図１９、図２２、および図２３を参照すると、ポストベースのスライド機構２００の例示的な実装形態では、前述の幅Ｗ１とＷ２との間の差は、１．０ミリメートル以上、かつ、２．０ミリメートル以下になっている。ポストベースのスライディングレール部材２０６は、随意的に、１つまたは複数の重量低減開口（図示せず）を含むことが可能であり、重量低減開口は、ポストベースのスライド機構２００の重量をさらに低減させる役割を果たし、これらの開口は、スライディングレール部材２０６の構造的完全性に悪影響を与えることなく、可能な限り大きくなるようにサイズ決めされ得る。同様に、ポストベースのレールガイド２０２は、随意的に、１つまたは複数の重量低減開口（同様に図示せず）を含むことが可能であり、重量低減開口は、スライド機構２００の重量を一層さらに低減させる役割を果たし、これらの開口は、レールガイド２０２の構造的完全性に悪影響を与えることなく、可能な限り大きくなるようにサイズ決めされ得る。スライド機構２００の上の外部縁部および角部は、随意的に、ゴルファーの負傷を防止するために、および、スライド機構２００の重量を一層さらに低減させるために、丸みを付けられ得る。
【００４９】
図５、図６、および図２１〜図２４に例示されているように、ポストベースのレールガイド２０２のガイドブロック２１８は、また、レール移動距離制限キャビティー２３６を含み、レール移動距離制限キャビティー２３６は、レールガイドのガイドチャネル２２６の底部表面２３８の上に位置付けされている。このレール移動距離制限キャビティー２３６は、上述のレール移動距離制限フィーチャー４０の別の実施形態を表しているということが留意される。レール移動距離制限キャビティー２３６は、上述の幅Ｗ３、上述の長さＬ２、および、所定の深さＤ８を有しており、所定の深さＤ８は、上述の突出距離よりも大きい。図１７〜図２０に例示されているように、ポストベースのスライディングレール部材２０６は、長手方向の開口２４０を含み、長手方向の開口２４０は、スライディングレール部材２０６の上部からその底部２４６（それは、スライディングレールブロック２１２の底部である）へ通っており、この開口２４０の長手方向軸線は、バレル嵌合ポスト２１０およびスライディングレールブロック２１２の両方の共通の長手方向軸線Ｙ５に整合させられている。換言すれば、開口２４０は、バレル嵌合ポスト２１０およびスライディングレールブロック２１２の両方と同軸になっている。開口２４０は、所定の半径方向断面形状および所定の直径Ｄ９を有している。図１６に例示されているように、開口２４０の中へしっかりと挿入されるポストベースのスライド制限部材２０８は、開口嵌合ポスト２４２（それは、上述のポスト３６の別の実施形態を表している）およびヘッド２４４を含み、ヘッド２４４は、ポスト２４２の上部の上にリジッドに配設されている。ポスト２４２は、開口２４０の半径方向断面形状と同じ半径方向断面形状を有している。また、ポスト２４２は、所定の長さＬ６および上述の直径Ｄ２を有しており、それらは、ポスト２４２が開口２４０の中へ下向きに十分におよびしっかりと挿入されることを可能にするように選択されており、ポスト２４２が、この挿入の後にスライディングレール部材２０６の底部２４６から突出するようになっており（この突出部の一部分が、図４に示されている）、ポスト２４２の底部が、レール移動距離制限キャビティー２３６の中へ上記突出距離だけ突出するようになっている。
【００５０】
再び図１６〜図２０を参照すると、ポストベースのスライド機構２００の１つの実装形態では、長手方向の開口２４０は、円形の半径方向断面形状を有することが可能であり、また、ネジ山が付けられ得、また、開口嵌合ポスト２４２の半径方向外側表面が、ポスト２４２が開口２４０にネジ式に接続されることを可能にする様式でネジ山が付けられ得、したがって、ポストベースのスライディングレール部材２０６の中へのポストベースのスライド制限部材２０８のしっかりした挿入が、ポスト２４２を開口２４０の中へネジ式に十分に挿入することによって行われることを可能にする。この特定の実装形態では、ロックワッシャー（図示せず）が、随意的に、それが開口２４０の中へネジ式に挿入される前に、ポスト２４２の上に配設され得る。ポスト２４２が開口２４０の中へネジ式に十分に挿入されるときに、ロックワッシャーは、ヘッド２４４の底部とバレル嵌合ポスト２１０の上部との間に挟まれることとなる。開口２４０にネジ山が付けられておらず、ポスト２４２の半径方向外側表面にもネジ山が付けられていない、スライド機構２００の別の実装形態では、開口２４０は、さまざまな半径方向断面形状（たとえば、他の２次元の形状の中でも、円形、正方形、および六角形）のうちの任意の１つを有することが可能であり、スライディングレール部材２０６の中へのスライド制限部材２０８のしっかりとした挿入は、ポスト２４２の半径方向外側表面を開口２４０の半径方向の壁部にリジッドに接着させるために上述の強力な接着剤が使用されながら、ポスト２４２を開口２４０の中へ挿入することによって行われ得る。
【００５１】
再び図２〜図６および図１６〜図２４を参照すると、ポストベースのスライディングレール部材２０６のスライディングレールブロック２１２が、ポストベースのレールガイド２０２のガイドチャネル２２６の中に移動可能に位置決めされているときに、ボール軸受リテイナーフィーチャー３８は、一般的に、リアレールスロット２２４とリアガイドスロット２３４との間に、フロントボール軸受２６／２８を保持すると共に、リアレールスロット２２４とリアガイドスロット２３４との間に、リアボール軸受３０／３２を保持するように適合されている。ボール軸受リテイナーフィーチャー３８は、さまざまな方式で現実化され得るということが留意される。限定ではないが例として、図２〜図４および図１６〜図１９に示されているポストベースのスライディングレールアッセンブリ２０４の実施形態では、ボール軸受リテイナーフィーチャー３８は、以下の通り現実化される。ボール軸受リテイナーフィーチャーは、上述のフロントボール軸受リテイナー部材１１０および１１４、ならびに、リアボール軸受リテイナー部材１１２および１１６を含む。スライディングレールブロック２１２は、１対のフロントリテイナー部材キャビティー２４８および２５０、ならびに、１対のリアリテイナー部材キャビティー２５２および２５４を含み、これらのキャビティー２４８／２５０／２５２／２５４のそれぞれの長手方向軸線は、上述の水平方向の平面に沿って存在しており、レールスロット２２２および２２４は、（図１７および図１９に示されているように）上述の水平方向の平面に沿って位置決めされており、これらのキャビティー２４８／２５０／２５２／２５４のそれぞれは、リテイナー部材１１０／１１２／１１４／１１６のうちの所与の１つのポスト（たとえば、ポスト１６４）がキャビティーの中へ十分におよびしっかりと挿入されることを可能にするように適合されたサイズおよび形状を有しており、このリテイナー部材のヘッド（たとえば、ヘッド１６６）が、（図２〜図４に示されているように）スライディングレールブロック２１２の左側部２５６または右側部２５８に接触するようになっている。スライディングレールアッセンブリ２０４の１つの実装形態では、キャビティー２４８／２５０／２５２／２５４のそれぞれは、円形の半径方向断面形状を有することが可能であり、また、ネジ山が付けられ得、また、リテイナー部材１１０／１１２／１１４／１１６のそれぞれのポストの半径方向外側表面が、それがキャビティー２４８／２５０／２５２／２５４のうちの所与の１つにネジ式に接続されることを可能にするような様式で、ネジ山が付けられ得る。図３および図４に示されているように、リテイナー部材１１０／１１２／１１４／１１６のそれぞれのヘッドは、このヘッドがレールスロット２２２／２２４のうちの所与の１つの端部のうちの所与の１つの所定の部分をカバーすることを可能にするように選択された半径方向のサイズを有しており、この部分は、どのように野球バットがスイングされるかということにかかわらず、それが完全に組み立てられた後に、ボール軸受２６／２８／３０／３２がスライド機構２００から落下することを防止するように十分に大きくなっており、そして、ガイド２０２に対するアッセンブリ２０４の上述の横断方向／横方向の移動を可能にするように十分に小さくなっている（たとえば、フロントボール軸受リテイナー部材１１０および１１４は、フロントレールスロット２２２とフロントガイドスロット２３２との間に、フロントボール軸受２６／２８を保持しており、リアボール軸受リテイナー部材１１２および１１６は、リアレールスロット２２４とリアガイドスロット２３４との間に、リアボール軸受３０／３２を保持している）。
【００５２】
図４〜図６、および、この章で説明されているポストベースのスライド機構２００の機能的動作から理解されることとなるように、ならびに、再び図１６〜図２４を参照すると、ポストベースのスライド機構２００が完全に組み立てられた後に、ポストベースのスライド制限部材２０８の開口嵌合ポスト２４２の長さＬ６は、このポスト２４２の底部がポストベースのレールガイド２０２の上のレール移動距離制限キャビティー２３６の中へ上述の突出距離だけ突出することとなるように選択される。ここで、より詳細に説明されることとなるように、このキャビティー２３６は、ポスト２４２の移動をこの距離Ｄ１に制限することによって、ポストベースのスライディングレールアッセンブリ２０４の移動を最大レール移動距離Ｄ１に制限する（たとえば、上述の横断方向／横方向の移動／運動／シフトを制限する）ように適合されている。より具体的には、キャビティー２３６は、１対の対向する垂直方向の側壁部１７６および１７８を有しており、１対の対向する垂直方向の側壁部１７６および１７８は、互いに平行になっており、また、レールガイドのリニアガイドチャネル２２６の垂直方向の側壁部に対して平行になっている。キャビティー２３６は、互いに対称的な別の対の対向する垂直方向の側壁部１８０および１８２を有しており、これらの側壁部１８０および１８２の両方の水平方向中央部分は、ポストベースのスライディングレール部材２０６のスライド／移動の方向に対して直交し、ひいては、スライド制限部材２０８のポスト２４２のスライド／移動の方向に対して直交している。図５および図６に例示されているように、キャビティー２３６の幅Ｗ３および長さＬ２の両方は、ポスト２４２の直径Ｄ２よりも大きくなっており、したがって、ポスト２４２がキャビティー２３６の中で横方向に（たとえば、図２、図３、図５、および図６の視点から左方向および右方向に）進行することを可能にする。図５および図６から理解されることとなるように、長さＬ２と直径Ｄ２との間の差は、距離Ｄ１を定義している。スライディングレールアッセンブリ２０４が、レールガイド２０２の上で上述の同軸の位置に位置しているときに、ポスト２４２の右側部が、図５に示されているように、側壁部１８２と接触している。スライディングレールアッセンブリ２０４が、レールガイド２０２の上で上述の最大に非同軸の位置に位置しているときに、ポスト２４２の左側部が、図６に示されているように、側壁部１８０に接触している。一般的に言えば、長さＬ２および直径Ｄ２は、距離Ｄ１が任意の値を有することができるように選択され得、この値は、他の要因の中でも、野球バットの剛性に基づいて選択される。限定ではないが例として、スライド機構２００の例示的な実施形態では、長さＬ２および直径Ｄ２は、距離Ｄ１がおおよそ３．５ミリメートルとなるように選択される。
【００５３】
先述の場合、および、再び図５、図６、および図１６を参照すると、ポストベースのスライド機構２００は、バッターが所望の様式でバットをスイングするときに、バッターがバットのハンドルセクションの上側端部に対する野球バットのバレルセクションの下側端部の横断方向／横方向の移動／運動／シフトを聞いて感じることを可能にするということが認識されることとなる。換言すれば、本明細書で説明されているように、スライド機構２００がバットの中へ間置されるときに、スライド機構２００は、バッターに、彼らが所望のスイングプロファイルを実現したかどうかということを示す上述の可聴式および触知式の両方のフィードバックを提供する。たとえば、バットのバレルセクションの下側端部をバットのハンドルセクションの上側端部に対して左方向に横断方向／横方向に移動／シフトさせる様式で、バットがスイングされ、ポストベースのスライディングレールアッセンブリ２０４が、ポストベースのレールガイド２０２の上で最大に非同軸の位置に到達するようになっており、また、開口嵌合ポスト２４２の左側部が、レール移動距離制限キャビティー２３６の垂直方向の側壁部１８０にインパクトするようになっているときに、スライド機構２００は、認識可能な音を発生させることとなり（たとえば、バッターは、「クリック」音を聞くこととなる）、また、バットの近位端部において触感を発生させることとなる（たとえば、バッターは、機構２００からバットのハンドルセクションを通して彼らの手の中へ進行する振動を感じることとなる）。
【００５４】
１．３  テニスラケット適用例  
この章で説明されているトレーニング装置実施形態は、以降では、単に、テニスラケット関連の実施形態と称される。これらのテニスラケット関連の実施形態は、概して、テニスラケットの分野に関し、より具体的には、テニスラケットスイングトレーニング装置に関し、テニスプレーヤーは、テニスラケットスイングトレーニング装置を使用し、彼らがどのように彼らのラケットをスイングするかということ（たとえば、完璧な彼らのスイング）のメカニクスを改善し、したがって、より上手なテニスプレーヤーになることが可能である。
【００５５】
再び図１〜図６および図１６を参照すると、この章で説明されているテニスラケット関連の実施形態では、スポーツ関連の器具１０は、従来のテニスラケットであり、物体１８は、従来のテニスボールである。器具の遠位セクション１２は、楕円形状のフープを含むラケットのヘッドセクションを含み、楕円形状のフープの内部は、平面的なコードのネットワークによって「ガットを張られている」。また、遠位セクション１２は、ラケットのハンドルセクションの上側部分、および、ラケットのスロートセクションを含み、スロートセクションは、ヘッドセクションをハンドルセクションの上側部分にリジッドに相互接続させている。器具の近位セクション１４は、ラケットのハンドルセクションの下側部分である。スライド機構２２は、ポストベースのスライド機構２００である。テニスラケット関連の実施形態は、それに限定されないが以下のものを含むさまざまな理由のために有利である。テニスラケット関連の実施形態は、それに限定されないが、さまざまなタイプの木材、さまざまなタイプの軽量金属、および、さまざまなタイプの複合材料から作製されたラケットを含む、任意のタイプのテニスラケットとともに使用され得る。
【００５６】
再び図１６を参照すると、および、以下に続くテニスラケット関連の実施形態のより詳細な説明から理解されることとなるように、ポストベースのスライド機構２００が、ラケットのハンドルセクションの上側部分とラケットのハンドルセクションの下側部分との間に完全に組み立てられて挿入された後に、テニスプレーヤーがテニスラケット関連の実施形態を成功して使用する間（すなわち、ラケットの適正な／好適なスイングの間）に受ける力は、ラケットのハンドルセクションの下側部分に対するラケットのハンドルセクションの上側部分（ひいては、この上側部分から延在するラケットのスロートセクションおよびヘッドセクション）の上述の横断方向／横方向の移動／運動／シフトを引き起こすこととなる。先述の場合、この移動／運動／シフトは、この上側部分の長手方向軸線およびこの下側部分の長手方向軸線の両方に対して直交する方向に拘束され、また、ヘッドセクションの平面的なコードのネットワークに対して直交する方向に拘束され、上述の最大レール移動距離Ｄ１に制限されるということが認識されることとなる。そして、この移動／運動／シフトは、スライド機構２００が、プレーヤーに、彼らが所望のスイングプロファイルを実現したかどうかということを示す可聴式および触知式のフィードバックを提供することを引き起こすことが可能である。距離Ｄ１に関する特定の値は、他の要因の中でも、ラケットの剛性に基づいて選択される。限定ではないが例として、この章において説明されているテニスラケットスイングトレーニング装置の例示的な実施形態では、距離Ｄ１は、おおよそ３．０ミリメートルである。
【００５７】
図１７〜図２０に例示されているように、および、再び図１６を参照すると、ポストベースのスライディングレール部材２０６の上側部分は、テニスラケットのハンドルセクションの上側部分の下側端部がスライディングレール部材２０６の上側部分にしっかりと接続されることを可能にするように適合されており、どのようにラケットがスイングされるかということにかかわらず、ラケットのハンドルセクションの上側部分が、ポストベースのスライディングレールアッセンブリ２０４と同軸になることを保証するようになっている（たとえば、この下側端部がスライディングレール部材２０６に接続されているときに、この下側端部の長手方向軸線は、スライディングレールブロック２１２の上部表面２１４に対して直交しており、また、ラケットのハンドルセクションの上側部分の底部表面は、表面２１４と同一平面上にある）。このしっかりとした接続は、それに限定されないが、上記の１．２章に説明されている異なる方式を含む、さまざまな方式で現実化され得るということが留意される。より具体的には、および、限定ではないが例として、図１７〜図２０に示されているポストベースのスライディングレール部材２０６の実施形態では、この適合は、以下の通りに構成されている。バレル嵌合ポスト２１０は、ラケットのハンドルセクションの上側部分の下側端部の上に形成されている長手方向のキャビティーの半径方向断面形状と同じ半径方向断面形状を有しており、このキャビティーの長手方向軸線は、ラケットのハンドルセクションの上側部分の下側端部の長手方向軸線に整合させられている。ラケットが切断され、上述の長手方向のセクションが除去された後に、長手方向のキャビティーが、ラケットのハンドルセクションの上側部分の下側端部の上に形成され得る。
【００５８】
図２１〜図２４に例示されているように、および、再び図１６を参照すると、ポストベースのレールガイド２０２の下側部分は、テニスラケットのハンドルセクションの下側部分の上側端部がレールガイド２０２の下側部分にしっかりと接続されることを可能にするように適合されており、どのようにラケットがスイングされるかということにかかわらず、ラケットのハンドルセクションの下側部分がレールガイド２０２と同軸になることを保証するようになっている（たとえば、この上側端部がレールガイド２０２に接続されているときに、この上側端部の長手方向軸線は、ガイドブロック２１８の底部表面２２０に対して直交しており、ラケットのハンドルセクションの下側部分の上部表面は、表面２２０と同一平面上にある）。このしっかりとした接続は、それに限定されないが、上記の１．２章に説明されている異なる方式を含む、さまざまな方式で現実化され得るということが留意される。より具体的には、および、限定ではないが例として、図２１〜図２４に示されているポストベースのスライディングレールガイド２０２の実施形態では、この適合は、以下の通りに構成されている。ハンドル嵌合ポスト２１６は、ラケットのハンドルセクションの下側部分の上側端部の上に形成されている長手方向のキャビティーの半径方向断面形状と同じ半径方向断面形状を有しており、このキャビティーの長手方向軸線は、ラケットのハンドルセクションの下側部分の上側端部の長手方向軸線に整合させられている。ラケットが切断され、上述の長手方向のセクションが除去された後に、長手方向のキャビティーが、ラケットのハンドルセクションの下側部分の上側端部の上に形成され得る。
【００５９】
先述の場合、および、再び図５、図６、および図１６を参照すると、ポストベースのスライド機構２００は、プレーヤーが所望の様式でラケットをスイングするときに、テニスプレーヤーがラケットのハンドルセクションの下側部分に対するテニスラケットのハンドルセクションの上側部分の横断方向／横方向の移動／運動／シフトを聞いて感じることを可能にするということが認識されることとなる。換言すれば、本明細書で説明されているように、スライド機構２００がラケットの中へ間置されるときに、スライド機構２００は、プレーヤーに、彼らが所望のスイングプロファイルを実現したかどうかということを示す上述の可聴式および触知式の両方のフィードバックを提供する。たとえば、ラケットのハンドルセクションの上側部分をラケットのハンドルセクションの下側部分に対して左方向に横断方向／横方向に移動／シフトさせる様式で、ラケットがスイングされ、ポストベースのスライディングレールアッセンブリ２０４が、ポストベースのレールガイド２０２の上で最大に非同軸の位置に到達するようになっており、また、開口嵌合ポスト２４２の左側部が、レール移動距離制限キャビティー２３６の垂直方向の側壁部１８０にインパクトするようになっているときに、スライド機構２００は、認識可能な音を発生させることとなり（たとえば、プレーヤーは、「クリック」音を聞くこととなる）、また、ラケットの近位端部において触感を発生させることとなる（たとえば、プレーヤーは、機構２００からラケットのハンドルセクションの下側部分を通して彼らの手の中へ進行する振動を感じることとなる）。
【００６０】
２．０  野球バットスイングトレーニング装置  
この章で説明されているトレーニング装置実施形態は、以降では、単に、代替的な野球バット関連の実施形態と称される。この代替的な野球バット関連の実施形態は、概して、野球バットの分野に関し、より具体的には、野球バットスイングトレーニング装置の代替的な実施形態に関し、バッターは、野球バットスイングトレーニング装置を使用し、彼らがどのように彼らのバットをスイングするかということのメカニクスを改善し、したがって、より上手な打者になることが可能である。換言すれば、および、以下に続くより詳細な説明から理解されることとなるように、代替的な野球バット関連の実施形態は、彼らのバットをより速くスイングすることをバッターに教え、したがって、バッターが彼らに投げられた野球ボールをより強くかつさらにより着実に打つことを可能にする。再び図１を参照すると、この章で説明されている代替的な野球バット関連の実施形態では、スポーツ関連の器具１０は、従来の野球バットであり、物体１８は、従来の野球ボールであり、器具の遠位セクション１２は、バットのバレルセクションであり、器具の近位セクション１４は、バットのハンドルセクションである。より詳細に以降で説明されることとなるように、代替のスライド機構が、バットのバレルセクションとハンドルセクションとの間に形成されている上述のギャップの中に挿入される。
【００６１】
図２６は、野球バットのバレルセクション３１２の下側端部とバットのハンドルセクション３１４の上側端部との間に接続されるように示されている代替のスライド機構３００の例示的な実施形態の平面図を簡単化された形態で図示している。図２６に例示されているように、代替のスライド機構３００は、代替のスライディングレールアッセンブリ３３４および代替のレールガイド３３２を含む。より詳細に以降で説明されることとなるように、代替のスライディングレールアッセンブリ３３４は、バレルセクション３１２の下側端部にしっかりと接続されており、どのようにバットがスイングされるかということにかかわらず、代替のスライディングレールアッセンブリ３３４およびこの下側端部が実質的に同軸になることを保証するようになっている。代替のレールガイド３３２は、ハンドルセクション３１４の上側端部にしっかりと接続されており、どのようにバットがスイングされるかということにかかわらず、代替のレールガイド３３２およびこの上側端部が実質的に同軸になることを保証するようになっている。図２６に示されている代替のスライディングレールアッセンブリ３３４は、代替のレールガイド３３２の上で最も右の位置に位置しており、バットのバレルセクション３１２の下側端部の長手方向軸線Ｙ７が、バットのハンドルセクション３１４の上側端部の長手方向軸線Ｙ８に実質的に整合させられるようになっている（たとえば、代替のスライディングレールアッセンブリ３３４が最も右の位置に位置しているときに、これらの下側端部および上側端部は、実質的に同軸になっている）。以下に続く代替のスライド機構３００のより詳細な説明から理解されることとなるように、バッターが彼らのバットを保持しそれをスイングするのに備えているとき（たとえば、バッターが、彼らのバットを保持しており、そのバレルセクション３１２が、彼らの頭部の後ろに、彼らの肩の一方の上方に持ち上げられた状態になっているときに）、代替のスライディングレールアッセンブリ３３４、および、バットのバレルセクション３１２の下側端部は、最も右の位置に自然に移動することとなる。
【００６２】
図２７は、図２６の代替のスライド機構３００の平面図を簡単化された形態で図示しており、そこでは、代替のスライディングレールアッセンブリ３３４は、代替のレールガイド３３２の上で最も左の位置に位置しており、野球バットのバレルセクション３１２の下側端部の長手方向軸線Ｙ７が、バットのハンドルセクション３１４の上側端部の長手方向軸線Ｙ８から、所定の最大レール移動距離Ｄ１０だけ横断方向にオフセットされるようになっている。バレルセクション３１２の下側端部とハンドルセクション３１４の上側端部の間のこの横断方向のオフセットは、バットの所望のスイング３２８の間に受ける力によって引き起こされ得るということが認識されることとなる。図２６および図２７に例示されているように、代替のスライド機構３００がバットのバレルセクション３１２およびハンドルセクション３１４に完全に組み立てられて接続された後に、代替のスライド機構３００は、ハンドルセクション３１４の上側端部に対する、バレルセクション３１２の下側端部の、制限された低摩擦の横断方向の移動を、実質的に機械的な完全性を備えた状態で可能にする。換言すれば、代替のスライド機構３００の代替のスライディングレールアッセンブリ３３４および代替のレールガイド３３２は、バットのスイング３２８の間の、ハンドルセクション３１４の上側端部に対する、バレルセクション３１２の下側端部の、低摩擦の横方向の移動（たとえば、横方向のシフト）を可能にするように協働的に構成されており、ここで、この横方向の移動／運動／シフトは、この下側端部の長手方向軸線Ｙ７およびこの上側端部の長手方向軸線Ｙ８の両方に対して実質的に直交する方向に拘束され、この横方向の移動／運動／シフトは、最大レール移動距離Ｄ１０に制限されている。
【００６３】
３．０  他の実施形態  
トレーニング装置が、その実施形態を具体的に参照することによって説明されてきたが、その変形例および修正例は、トレーニング装置の真の要旨および範囲から逸脱することなく作成され得るということが理解される。限定ではないが例として、これまでに説明されているような、既存の従来のゴルフクラブ、または、既存の従来の野球バット、または、既存の従来のテニスラケットのいずれかの中に間置され／搭載され／挿入される、本明細書で説明されているスライド機構の実施形態（ならびに、関連の実装形態およびそのバージョン）ではなく、トレーニング装置の代替的な実施形態も可能であり、その代替的な実施形態では、スライド機構の実施形態は、新しいトレーニングゴルフクラブ、または、新しいトレーニング野球バット、または、新しいトレーニングテニスラケットのいずれかの中に直接的に製造される。また、スライド機構の実施形態は、スイングされる任意の他のタイプの従来のスポーツ関連の器具の中に間置され／搭載され／挿入され得る。たとえば、スライド機構の実施形態は、ホッケースティック、または、他のタイプのバット（たとえば、クリケットバットなど）、または、他のタイプのラケット（たとえば、ラケットボールのラケット、または、パドルボールのラケット、または、バドミントンのラケットなど）の中に間置され／搭載され／挿入され得る。
【００６４】
追加的に、図２５は、図２の線Ｃ−Ｃに沿って見た、図２のスライド機構の代替的な実施形態の拡大断面図を簡単化された形態で図示している。図２５に示されている代替的なスライド機構実施形態２６０は、これまでに説明されているスライド機構のキャビティーベースおよびポストベースの両方の実施形態に適用可能である。そうであるので、代替的なスライド機構実施形態２６０は、人がスイングする上述の異なるタイプのスポーツ関連の器具のいずれかとともに使用され得る。しかし、以下に続く代替的なスライド機構実施形態２６０のより詳細な説明から理解されることとなるように、この特定の実施形態は、野球バットとともに使用されるときに特に有利である。その理由は、それは、右利きのバッターおよび左利きのバッターが同じ方式でバットを保持することを可能にするからである。
【００６５】
再び図５、図６、および図２５を参照すると、代替的なスライド機構の実施形態２６０は、以下のものを例外として、これまでに説明されているスライド機構２２の実施形態と同じである。図２５に例示されているように、代替的なスライド機構の実施形態２６０では、レールガイド２６４の上のレール移動距離制限フィーチャー２６２（それは、レールガイド２４の上の上述のレール移動距離制限フィーチャー４０に対応している）は、右方向にシフトされており、それが、レールガイド２６４のガイドチャネル（図示せず）の底部表面の上で中央に位置付けされるようになっている。換言すれば、レール移動距離制限フィーチャー２６２の長手方向軸線は、レールガイドの共通の長手方向軸線（たとえば、上述の共通の長手方向軸線Ｙ４およびＹ６）と整合させられている。したがって、上述のスライディングレールアッセンブリ（図示せず）がレールガイド２６４の上で上述の同軸の位置に位置しているときに、スライド制限部材の上述のポスト３６／１６０／２４２は、レール移動距離制限フィーチャー２６２の中心に位置付けされている。スライディングレールアッセンブリが、レールガイド２６４の上で最も右の位置に位置しているときに（それは、器具の遠位セクションの下側端部を器具の近位セクションの上側端部に対して右方向に横断方向／横方向に移動／シフトさせる様式で、スポーツ関連の器具がスイングされるときに起こる可能性がある）、ポスト３６／１６０／２４２の右側部は、レール移動距離制限フィーチャー２６２の側壁部２６６と接触する。スライディングレールアッセンブリが、レールガイド２６４の上で最も左の位置に位置しているときに（それは、器具の遠位セクションの下側端部を器具の近位セクションの上側端部に対して左方向に横断方向／横方向に移動／シフトさせる様式で、スポーツ関連の器具がスイングされるときに起こる可能性がある）、ポスト３６／１６０／２４２の左側部は、レール移動距離制限フィーチャー２６２の側壁部２６８と接触する。先述の場合、前述の同軸の位置と最も右の位置との間のレール移動距離は、上述の最大レール移動距離Ｄ１の半分である（Ｄ１が３．５ミリメートルであるときに、それは、１．７５ミリメートルである）ということが認識されることとなる。同様に、同軸の位置と前述の最も左の位置との間のレール移動距離も、距離Ｄ１の半分である。
【００６６】
追加的に、速度センサーが、スポーツ関連の器具の上の適当な場所の上に配設され得、この速度センサーは、器具がスイングされている速度を測定する。たとえば、スポーツ関連の器具が野球バットであるケースでは、速度センサーは、バットスイング速度を測定するために、バットの遠位端部の上に配設され得る。本明細書で説明されているスライド機構がその中に間置される特定のタイプのスポーツ関連の器具に応じて、ギャップが形成されているその領域の中の器具の半径方向の厚さは、本明細書で説明されているトレーニング装置実施形態の破損を防止するために、増加させられ得る。所与のタイプのスポーツ関連の器具の中に間置されるスライド機構を交換するように適合されている非スライディング部材が存在してもよい。換言すれば、非スライディング部材は、スライド機構を交換するために、ならびに、その近位セクションおよび遠位セクションを再接合するために使用され得、どのように器具がスイングされるかということにかかわらず、遠位セクションの下側端部が、常に、近位セクションの上側端部と実質的に同軸のアライメントの状態に維持されるようになっており、したがって、器具をその元の形態および機能性に変換して戻す。長手方向の空隙が、スポーツ関連の器具の近位セクションの中に形成され得、この空隙は、近位セクションの遠位端部からその近位端部へ進行し、上述の認識可能な音が近位セクションの近位端部から出てくることを可能にする。また、長手方向の空隙は、スポーツ関連の器具の遠位セクションの中に形成され得、この空隙は、遠位セクションの遠位端部からその近位端部へ進行し、認識可能な音が遠位セクションの遠位端部から出てくることを可能にする。
【００６７】
説明の全体を通して上述の実施形態のいずれかまたはすべては、追加的なハイブリッドの実施形態を形成するために望まれる任意の組み合わせで使用され得るということが留意される。それに加えて、本主題は、構造的特徴および／または方法論的な行為に特有の言語で説明されてきたが、添付の特許請求の範囲の中に定義されている主題は、必ずしも、上記に説明されている特有の特徴または行為に限定されるわけではないということが理解されるべきである。むしろ、上記に説明されている特有の特徴および行為は、請求項を実施する例示的な形態として開示されている。
【００６８】
上記に説明されてきたものは、例示的な実施形態を含む。当然のことながら、特許請求されている主題を説明する目的のために、コンポーネントまたは方法論の考えられるすべての組み合わせを説明することはできないが、当業者は、多くのさらなる組み合わせおよび置換が可能であるということを認識することができる。したがって、特許請求されている主題は、添付の特許請求の範囲の要旨および範囲の中に入るすべてのそのような代替例、修正例、および変形例を包含することが意図されている。上述のコンポーネントなどによって果たされるさまざまな機能に関して、そのようなコンポーネントを説明するために使用されている用語は（「手段」と呼ぶことも含む）、別段の指示がない限り、特許請求されている主題の本明細書に図示されている例示的な態様の中で機能を果たす、開示されている構造と構造的に同等でないとしても、説明されているコンポーネントの特定の機能を果たす任意のコンポーネント（たとえば、機能的な均等物）に対応することが意図されている。
【図１】
0006689879.tif 000002
【図２】
0006689879.tif 000003
【図３】
0006689879.tif 000004
【図４】
0006689879.tif 000005
【図５】
0006689879.tif 000006
【図６】
0006689879.tif 000007
【図７】
0006689879.tif 000008
【図８】
0006689879.tif 000009
【図９】
0006689879.tif 000010
【図１０】
0006689879.tif 000011
【図１１】
0006689879.tif 000012
【図１２】
0006689879.tif 000013
【図１３】
0006689879.tif 000014
【図１４】
0006689879.tif 000015
【図１５】
0006689879.tif 000016
【図１６】
0006689879.tif 000017
【図１７】
0006689879.tif 000018
【図１８】
0006689879.tif 000019
【図１９】
0006689879.tif 000020
【図２０】
0006689879.tif 000021
【図２１】
0006689879.tif 000022
【図２２】
0006689879.tif 000023
【図２３】
0006689879.tif 000024
【図２４】
0006689879.tif 000025
【図２５】
0006689879.tif 000026
【図２６】
0006689879.tif 000027
【図２７】
0006689879.tif 000028